(57)【特許請求の範囲】
【請求項１】
一対の入力端子と、一対の出力端子と、少なくとも２つのスイッチング素子と、前記少なくとも２つのスイッチング素子それぞれを制御する制御回路と、第１インダクタと第２インダクタとを有する結合部、第３インダクタおよび第１コンデンサを具備する共振回路と、前記第２インダクタの両端電圧を整流する整流回路と、前記整流回路により整流された電圧を平滑する第２コンデンサと、前記一対の出力端子間に流れる電流である出力電流もしくは前記一対の出力端子間に印加される電圧である出力電圧を検出して、前記出力電流もしくは前記出力電圧に比例する電圧である検出電圧と基準電圧との差分を前記制御回路へフィードバックするフィードバック回路とを備え、
前記第１インダクタと前記第２インダクタとは、磁気的に結合され、
前記少なくとも２つのスイッチング素子は、直列接続され、
直列接続された前記少なくとも２つのスイッチング素子は、前記一対の入力端子間に電気的に接続され、
前記第１インダクタの第１端には、前記第３インダクタが接続され、前記第１インダクタの第２端には、前記第１コンデンサが接続され、
前記第３インダクタと前記第１インダクタと前記第１コンデンサとの直列回路は、前記少なくとも２つのスイッチング素子のうち１つのスイッチング素子と並列に接続され、
前記第２コンデンサは、前記一対の出力端子間に電気的に接続され、
前記フィードバック回路は、前記出力電流もしくは前記出力電圧を検出する検出部と、前記検出電圧と前記基準電圧とが入力され前記差分を出力する誤差増幅器とを備え、
前記制御回路は、前記少なくとも２つのスイッチング素子それぞれが各別に動作し、かつ、前記誤差増幅器から出力される前記差分がゼロとなるように、前記少なくとも２つのスイッチング素子それぞれを制御し、
前記制御回路は、前記少なくとも２つのスイッチング素子それぞれの動作を開始させたときに、前記少なくとも２つのスイッチング素子それぞれのスイッチング周波数を、相対的に高い周波数から相対的に低い周波数へ変化させるように構成され、
前記制御回路は、前記少なくとも２つのスイッチング素子それぞれの動作を停止させた時点から前記少なくとも２つのスイッチング素子それぞれの動作を開始させる時点までの間、前記誤差増幅器から出力される前記差分がゼロに近づくように前記フィードバック回路を制御する
ことを特徴とする点灯装置。
【請求項２】
前記制御回路は、前記少なくとも２つのスイッチング素子それぞれのスイッチング周波数が同じ周波数となるように、前記少なくとも２つのスイッチング素子それぞれを制御し、
前記制御回路は、前記少なくとも２つのスイッチング素子それぞれのスイッチング周波数の変化を開始するとき、前記少なくとも２つのスイッチング素子それぞれのスイッチング周波数が前記第１インダクタのインダクタンスと前記第１コンデンサのキャパシタンスとで決まる共振周波数である第１共振周波数以上となるように、前記少なくとも２つのスイッチング素子それぞれを制御し、
前記制御回路は、前記少なくとも２つのスイッチング素子それぞれのスイッチング周波数の変化を終了するとき、前記少なくとも２つのスイッチング素子それぞれのスイッチング周波数が前記第１共振周波数未満で、かつ、前記第１インダクタのインダクタンスと前記第３インダクタのインダクタンスと前記第１コンデンサのキャパシタンスとで決まる共振周波数である第２共振周波数以上となるように、前記少なくとも２つのスイッチング素子それぞれを制御する
ことを特徴とする請求項１記載の点灯装置。
【請求項３】
前記制御回路は、前記少なくとも２つのスイッチング素子それぞれの動作を開始させたとき、前記誤差増幅器に入力される前記基準電圧の電圧レベルが徐々に増加するように、前記フィードバック回路を制御する
ことを特徴とする請求項１または請求項２記載の点灯装置。
【請求項４】
前記フィードバック回路は、前記基準電圧を生成する生成部を更に備え、
前記生成部は、第３コンデンサを備え、
前記誤差増幅器は、前記第３コンデンサの両端電圧が前記基準電圧として入力されるように構成され、
前記制御回路は、前記少なくとも２つのスイッチング素子それぞれの動作を開始させる前に前記第３コンデンサに蓄積された電荷を放電させ、かつ、前記少なくとも２つのスイッチング素子それぞれの動作を開始させたときに前記第３コンデンサを充電するように構成されている
ことを特徴とする請求項３記載の点灯装置。
【請求項５】
前記制御回路は、前記少なくとも２つのスイッチング素子それぞれの動作を停止させた時点から前記少なくとも２つのスイッチング素子それぞれの動作を開始させる時点までの間、前記誤差増幅器に入力される前記検出電圧の電圧レベルが前記基準電圧の電圧レベル以上となるように前記フィードバック回路を制御する
ことを特徴とする請求項１ないし請求項４のいずれか１項に記載の点灯装置。
【請求項６】
前記制御回路は、前記少なくとも２つのスイッチング素子それぞれの動作を停止させた時点から前記少なくとも２つのスイッチング素子それぞれの動作を開始させる時点までの間、前記誤差増幅器から出力される前記差分がゼロとなるように前記フィードバック回路を制御する
ことを特徴とする請求項１ないし請求項４のいずれか１項に記載の点灯装置。
【請求項７】
前記制御回路は、前記少なくとも２つのスイッチング素子それぞれの動作を停止させた時点から前記少なくとも２つのスイッチング素子それぞれの動作を開始させる時点までの間、前記誤差増幅器に供給される電源を遮断するように構成されている
ことを特徴とする請求項１ないし請求項４のいずれか１項に記載の点灯装置。
【請求項８】
前記制御回路は、所定期間を計時するタイマを備え、
前記所定期間は、前記少なくとも２つのスイッチング素子それぞれの動作が停止する時点から前記誤差増幅器より出力される前記差分が予め設定された規定値よりも小さい時点までの期間であり、
前記制御回路は、前記少なくとも２つのスイッチング素子それぞれの動作を停止させたとき、前記タイマにより前記所定期間が計時された後に、前記少なくとも２つのスイッチング素子それぞれの動作を開始させるように構成されている
ことを特徴とする請求項１ないし請求項７のいずれか１項に記載の点灯装置。
【請求項９】
前記制御回路は、前記少なくとも２つのスイッチング素子それぞれの動作を停止させたとき、前記誤差増幅器から出力される前記差分が予め設定された規定値以上となった後に、前記少なくとも２つのスイッチング素子それぞれの動作を開始させるように構成されている
ことを特徴とする請求項１ないし請求項７のいずれか１項に記載の点灯装置。
【請求項１０】
前記制御回路は、前記少なくとも２つのスイッチング素子それぞれが間欠動作するように、前記少なくとも２つのスイッチング素子それぞれを制御し、
前記制御回路は、前記少なくとも２つのスイッチング素子それぞれの間欠動作を開始させたときに、前記少なくとも２つのスイッチング素子それぞれのスイッチング周波数を、相対的に高い周波数から相対的に低い周波数へ変化させるように構成され、
前記制御回路は、前記少なくとも２つのスイッチング素子それぞれの間欠動作を停止させた時点から前記少なくとも２つのスイッチング素子それぞれの間欠動作を開始させる時点までの間、前記誤差増幅器から出力される前記差分がゼロに近づくように前記フィードバック回路を制御する
ことを特徴とする請求項１ないし請求項９のいずれか１項に記載の点灯装置。
【請求項１１】
前記制御回路は、前記少なくとも２つのスイッチング素子それぞれの間欠動作を開始させたとき、前記誤差増幅器に入力される前記基準電圧の電圧レベルが徐々に増加するように、前記フィードバック回路を制御する
ことを特徴とする請求項１０記載の点灯装置。
【請求項１２】
前記制御回路は、前記少なくとも２つのスイッチング素子それぞれが間欠動作する前の期間である準備期間と、前記少なくとも２つのスイッチング素子それぞれが間欠動作する期間である間欠動作期間とを有するように、前記少なくとも２つのスイッチング素子それぞれを制御し、
前記制御回路は、前記準備期間のとき、前記少なくとも２つのスイッチング素子それぞれのスイッチング周波数を相対的に高い周波数から相対的に低い周波数へ変化させる期間である変化期間が相対的に長くなるように、前記少なくとも２つのスイッチング素子それぞれを制御し、
前記制御回路は、前記間欠動作期間のとき、前記変化期間が相対的に短くなるように、前記少なくとも２つのスイッチング素子それぞれを制御する
ことを特徴とする請求項１０または請求項１１記載の点灯装置。
【請求項１３】
前記制御回路は、前記少なくとも２つのスイッチング素子それぞれの間欠動作として、前記少なくとも２つのスイッチング素子それぞれをスイッチング動作させる期間である動作期間と、前記少なくとも２つのスイッチング素子それぞれをスイッチング動作させない期間である休止期間とを交互に繰り返すように、前記少なくとも２つのスイッチング素子それぞれを制御し、
前記制御回路は、前記動作期間と前記休止期間との比率が一定となるように、前記少なくとも２つのスイッチング素子それぞれを制御し、
前記制御回路は、前記少なくとも２つのスイッチング素子それぞれの間欠動作を開始させたとき、前記整流回路により整流された電圧に比例する電流が徐々に増加するように、前記少なくとも２つのスイッチング素子それぞれを制御する
ことを特徴とする請求項１０または請求項１１記載の点灯装置。
【請求項１４】
フィルタ回路と、前記整流回路である第１整流回路とは異なる第２整流回路と、力率改善回路と、第４コンデンサとを更に備え、
前記フィルタ回路は、ノイズを除去するように構成され、
前記第２整流回路は、前記一対の入力端子に入力された交流電圧を整流するように構成され、
前記力率改善回路は、前記第２整流回路により整流された電圧の力率を改善するように構成され、
前記第４コンデンサは、前記力率改善回路により力率改善された電圧を平滑するように構成され、
前記フィルタ回路は、前記一対の入力端子と電気的に接続され、前記フィルタ回路は、前記第２整流回路と電気的に接続され、
前記第４コンデンサの両端間には、直列接続された前記少なくとも２つのスイッチング素子が電気的に接続されている
ことを特徴とする請求項１ないし請求項１３のいずれか１項に記載の点灯装置。
【請求項１５】
固体発光素子を具備する光源部と、請求項１ないし請求項１４のいずれか１項に記載の点灯装置とを備え、
前記点灯装置は、前記光源部を点灯させるように構成されている
ことを特徴とする照明器具。
【発明の詳細な説明】
【技術分野】
【０００１】
本発明は、一般に、点灯装置およびそれを用いた照明器具に関し、より詳細には、固体発光素子を備えた光源部を点灯させる点灯装置およびそれを用いた照明器具に関する。
【背景技術】
【０００２】
近年、ＬＥＤからなる光源と、スイッチング電源とを備えたＬＥＤ照明器具が提案されている（特許文献１）。
【０００３】
特許文献１に記載されたＬＥＤ照明器具のスイッチング電源は、光源を点灯させるように構成されている。スイッチング電源は、第１スイッチング素子と第２スイッチング素子との直列回路と、出力トランスの１次巻線とコンデンサとインダクタとの直列共振回路とを備えている。また、スイッチング電源は、第１制御回路と、第２制御回路と、出力トランスの２次巻線と、全波整流回路と、平滑コンデンサとを備えている。なお、平滑コンデンサの両端間には、光源が電気的に接続される。
【先行技術文献】
【特許文献】
【０００４】
【特許文献１】特許第４９５６４０９号公報
【発明の概要】
【発明が解決しようとする課題】
【０００５】
特許文献１に記載されたＬＥＤ照明器具のスイッチング電源は、いわゆる、複合共振コンバータである。このスイッチング電源では、平滑コンデンサの両端間に電気的に接続された光源の負荷状態によって直列共振回路の共振周波数が変動する可能性があり、サージ電流が流れる虞がある。
【０００６】
本発明の目的は、サージ電流が流れるのを抑制することが可能な点灯装置およびそれを用いた照明器具を提供することにある。
【課題を解決するための手段】
【０００７】
本発明の点灯装置は、一対の入力端子と、一対の出力端子と、少なくとも２つのスイッチング素子と、前記少なくとも２つのスイッチング素子それぞれを制御する制御回路とを備えている。また、前記点灯装置は、第１インダクタと第２インダクタとを有する結合部、第３インダクタおよび第１コンデンサを具備する共振回路を備えている。さらに、前記点灯装置は、前記第２インダクタの両端電圧を整流する整流回路と、前記整流回路により整流された電圧を平滑する第２コンデンサとを備えている。また、前記点灯装置は、前記一対の出力端子間に流れる電流である出力電流もしくは前記一対の出力端子間に印加される電圧である出力電圧を検出して、前記出力電流もしくは前記出力電圧に比例する電圧である検出電圧と基準電圧との差分を前記制御回路へフィードバックするフィードバック回路を備えている。前記第１インダクタと前記第２インダクタとは、磁気的に結合されている。前記少なくとも２つのスイッチング素子は、直列接続されている。直列接続された前記少なくとも２つのスイッチング素子は、前記一対の入力端子間に電気的に接続されている。前記第１インダクタの第１端には、前記第３インダクタが接続されている。前記第１インダクタの第２端には、前記第１コンデンサが接続されている。前記第３インダクタと前記第１インダクタと前記第１コンデンサとの直列回路は、前記少なくとも２つのスイッチング素子のうち１つのスイッチング素子と並列に接続されている。前記第２コンデンサは、前記一対の出力端子間に電気的に接続されている。前記フィードバック回路は、前記出力電流もしくは前記出力電圧を検出する検出部と、前記検出電圧と前記基準電圧とが入力され前記差分を出力する誤差増幅器とを備えている。前記制御回路は、前記少なくとも２つのスイッチング素子それぞれが各別に動作し、かつ、前記誤差増幅器から出力される前記差分がゼロとなるように、前記少なくとも２つのスイッチング素子それぞれを制御する。前記制御回路は、前記少なくとも２つのスイッチング素子それぞれの動作を開始させたときに、前記少なくとも２つのスイッチング素子それぞれのスイッチング周波数を、相対的に高い周波数から相対的に低い周波数へ変化させるように構成されている。前記制御回路は、前記少なくとも２つのスイッチング素子それぞれの動作を停止させた時点から前記少なくとも２つのスイッチング素子それぞれの動作を開始させる時点までの間、前記誤差増幅器から出力される前記差分がゼロに近づくように前記フィードバック回路を制御する。
【０００８】
本発明の照明器具は、固体発光素子を具備する光源部と、前記点灯装置とを備えている。前記点灯装置は、前記光源部を点灯させるように構成されている。
【発明の効果】
【０００９】
本発明の点灯装置においては、サージ電流が流れるのを抑制することが可能となる。
【００１０】
本発明の照明器具においては、サージ電流が流れるのを抑制することが可能な点灯装置を備えた照明器具を提供することができる。
【図面の簡単な説明】
【００１１】
【図１】実施形態１の点灯装置を備えた照明器具の回路図である。
【図２】比較例の点灯装置の動作を説明するタイミングチャートである。
【図３】実施形態１の点灯装置の動作を説明するタイミングチャートである。
【図４】実施形態１の点灯装置を備えた照明器具の施工状態を示す一部破断された斜視図である。
【図５】実施形態２の点灯装置を備えた照明器具の回路図である。
【図６】実施形態３の点灯装置を備えた照明器具の回路図である。
【図７】実施形態４の点灯装置を備えた照明器具の回路図である。
【図８】実施形態４の点灯装置の動作に関し、整流回路により整流された電圧に比例する電流の波形を示す波形図である。
【図９】実施形態４の点灯装置の他の動作に関し、整流回路により整流された電圧に比例する電流の波形を示す波形図である。
【発明を実施するための形態】
【００１２】
（実施形態１）
以下では、実施形態１の点灯装置１０について、図１を参照しながら説明する。
【００１３】
点灯装置１０は、光源部２０を点灯させるように構成されている。
【００１４】
光源部２０は、例えば、複数の固体発光素子２１を備えている。複数の固体発光素子２１の各々は、例えば、ＬＥＤである。複数の固体発光素子２１の電気的な接続関係は、例えば、直列接続である。複数の固体発光素子２１それぞれの発光色は、例えば、白色である。
【００１５】
光源部２０では、複数の固体発光素子２１それぞれの発光色を白色としているが、この色に限らない。また、光源部２０では、複数の固体発光素子２１の電気的な接続関係を、直列接続としているが、この接続に限らず、例えば、並列接続であってもよいし、直列接続と並列接続とを組み合わせた接続であってもよい。また、光源部２０では、固体発光素子２１として、ＬＥＤを用いているが、これに限らず、例えば、半導体レーザ素子、有機エレクトロルミネッセンス素子等を用いてもよい。また、光源部２０では、固体発光素子２１の数を複数としているが、１つであってもよい。
【００１６】
点灯装置１０は、一対の入力端子１Ａ，１Ｂと、一対の出力端子２Ａ，２Ｂと、２つのスイッチング素子Ｑ１，Ｑ２と、制御回路３と、共振回路４とを備えている。
【００１７】
一対の入力端子１Ａ，１Ｂ間には、外部電源４０が電気的に接続される。外部電源４０は、例えば、交流電圧を出力するように構成されている。外部電源４０は、例えば、商用電源である。なお、点灯装置１０は、外部電源４０を構成要素として含まない。
【００１８】
一対の出力端子２Ａ，２Ｂ間には、光源部２０が電気的に接続される。なお、点灯装置１０は、光源部２０を構成要素として含まない。
【００１９】
スイッチング素子Ｑ１は、第１端子、第２端子および制御端子を有している。スイッチング素子Ｑ１は、例えば、デプレッション型のｎチャネルＭＯＳＦＥＴである。スイッチング素子Ｑ１では、第１端子がドレイン端子であり、第２端子がソース端子であり、制御端子がゲート端子である。
【００２０】
スイッチング素子Ｑ１のドレイン端子は、入力端子１Ａと電気的に接続されている。スイッチング素子Ｑ１のソース端子は、スイッチング素子Ｑ２と電気的に接続されている。スイッチング素子Ｑ１のゲート端子は、制御回路３と電気的に接続されている。
【００２１】
スイッチング素子Ｑ２は、第１端子、第２端子および制御端子を有している。スイッチング素子Ｑ２は、例えば、デプレッション型のｎチャネルＭＯＳＦＥＴである。スイッチング素子Ｑ２では、第１端子がドレイン端子であり、第２端子がソース端子であり、制御端子がゲート端子である。
【００２２】
スイッチング素子Ｑ２のドレイン端子は、スイッチング素子Ｑ１のソース端子と電気的に接続されている。スイッチング素子Ｑ２のソース端子は、入力端子１Ｂと電気的に接続されている。スイッチング素子Ｑ２のゲート端子は、制御回路３と電気的に接続されている。
【００２３】
スイッチング素子Ｑ１は、デプレッション型のｎチャネルＭＯＳＦＥＴであるが、エンハンスメント型のｎチャネルＭＯＳＦＥＴであってもよい。また、スイッチング素子Ｑ２は、デプレッション型のｎチャネルＭＯＳＦＥＴであるが、エンハンスメント型のｎチャネルＭＯＳＦＥＴであってもよい。また、スイッチング素子Ｑ１およびスイッチング素子Ｑ２の各々は、ｎチャネルＭＯＳＦＥＴであるが、ｐチャネルＭＯＳＦＥＴであってもよい。
【００２４】
制御回路３は、２つのスイッチング素子Ｑ１，Ｑ２それぞれを制御するように構成されている。なお、制御回路３の詳細については、後述する。
【００２５】
共振回路４は、インダクタ（第１インダクタ）Ｌ１とインダクタ（第２インダクタ）Ｌ２とを有する結合部１１と、インダクタ（第３インダクタ）Ｌ３と、コンデンサ（第１コンデンサ）Ｃ１とを備えている。インダクタＬ１とインダクタＬ２とは、磁気的に結合されている。
【００２６】
結合部１１は、例えば、トランスである。結合部１１では、インダクタＬ１が一次巻線であり、インダクタＬ２が二次巻線である。インダクタＬ２には、タップ（より詳細には、センタータップ）が設けられている。なお、結合部１１は、トランスであるが、これに限らない。結合部１１は、２つのインダクタが磁気的に結合された構成であればよい。
【００２７】
インダクタＬ１の第１端は、インダクタＬ３を介して、スイッチング素子Ｑ２のドレイン端子と電気的に接続されている。インダクタＬ１の第２端は、コンデンサＣ１を介して、スイッチング素子Ｑ２のソース端子と電気的に接続されている。なお、インダクタＬ３とインダクタＬ１とコンデンサＣ１との直列回路は、スイッチング素子Ｑ２と並列に接続されているが、スイッチング素子Ｑ１と並列に接続されていてもよい。
【００２８】
また、点灯装置１０は、整流回路（第１整流回路）５と、コンデンサ（第２コンデンサ）Ｃ２と、フィードバック回路６とを備えている。
【００２９】
整流回路５は、インダクタＬ２の両端電圧を整流するように構成されている。整流回路５は、例えば、インダクタＬ２の両端電圧を全波整流するように構成されている。整流回路５は、例えば、２つのダイオードＤ１，Ｄ２を備えている。
【００３０】
ダイオードＤ１のアノードは、インダクタＬ２の第１端と電気的に接続されている。ダイオードＤ１のカソードは、ダイオードＤ２のカソードと電気的に接続されている。ダイオードＤ２のアノードは、インダクタＬ２の第２端と電気的に接続されている。
【００３１】
コンデンサＣ２は、整流回路５により整流された電圧を平滑するように構成されている。すなわち、コンデンサＣ２は、整流回路５により全波整流された電圧を平滑するように構成されている。コンデンサＣ２は、例えば、電解コンデンサである。
【００３２】
コンデンサＣ２の高電位側端子は、ダイオードＤ１およびダイオードＤ２それぞれのカソードと電気的に接続されている。また、コンデンサＣ２の高電位側端子は、出力端子２Ａと電気的に接続されている。コンデンサＣ２の低電位側端子は、インダクタＬ２のタップと電気的に接続されている。また、コンデンサＣ２の低電位側端子は、出力端子２Ｂと電気的に接続されている。
【００３３】
フィードバック回路６は、一対の出力端子２Ａ，２Ｂ間に流れる電流（以下、「出力電流」）Ｉｏを検出するように構成されている。また、フィードバック回路６は、出力電流Ｉｏに比例する電圧（以下、「検出電圧」）Ｖｄと基準電圧Ｖｒとの差分を制御回路３へフィードバックするように構成されている。
【００３４】
フィードバック回路６は、例えば、検出部１２と、誤差増幅器１３と、基準電圧Ｖｒを生成する生成部１４と、位相補償回路１５と、第１フォトカプラの発光部１６Ａと、抵抗Ｒ１とを備えている。第１フォトカプラは、発光部１６Ａと受光部１６Ｂとを備えている。発光部１６Ａは、例えば、ＬＥＤである。受光部１６Ｂは、例えば、フォトトランジスタである。第１フォトカプラでは、発光部１６Ａと受光部１６Ｂとが光学的に結合されている。
【００３５】
検出部１２は、出力電流Ｉｏを検出するように構成されている。検出部１２は、例えば、抵抗（以下、「検出抵抗」）である。検出抵抗の第１端は、出力端子２Ｂと電気的に接続されている。検出抵抗の第２端は、コンデンサＣ２の低電位側端子と電気的に接続されている。
【００３６】
誤差増幅器１３は、検出電圧Ｖｄと基準電圧Ｖｒとが入力されるように構成されている。一例を挙げて説明すると、誤差増幅器１３は、反転入力端子に検出電圧Ｖｄが入力され、かつ、非反転入力端子に基準電圧Ｖｒが入力されるように構成されている。誤差増幅器１３の反転入力端子は、抵抗Ｒ１を介して、出力端子２Ｂと電気的に接続されている。誤差増幅器１３の非反転入力端子は、生成部１４と電気的に接続されている。
【００３７】
また、誤差増幅器１３は、検出電圧Ｖｄと基準電圧Ｖｒとの差分を出力するように構成されている。誤差増幅器１３の出力端子は、発光部１６Ａと電気的に接続されている。
【００３８】
生成部１４は、例えば、３つの抵抗Ｒ２〜Ｒ４と、コンデンサ（第３コンデンサ）Ｃ３と、スイッチング素子Ｑ３とを備えている。
【００３９】
抵抗Ｒ２の第１端は、制御回路３と電気的に接続されている。抵抗Ｒ２の第２端は、抵抗Ｒ３を介して、コンデンサＣ２の低電位側端子と電気的に接続されている。また、抵抗Ｒ２の第２端は、抵抗Ｒ４とスイッチング素子Ｑ３との直列回路を介して、コンデンサＣ２の低電位側端子と電気的に接続されている。さらに、抵抗Ｒ２の第２端は、コンデンサＣ３を介して、コンデンサＣ２の低電位側端子と電気的に接続されている。また、抵抗Ｒ２の第２端は、誤差増幅器１３の非反転入力端子と電気的に接続されている。
【００４０】
点灯装置１０では、抵抗Ｒ２と抵抗Ｒ３との直列回路が抵抗分圧回路（以下、「第１抵抗分圧回路」）を構成しており、誤差増幅器１３の非反転入力端子に、抵抗Ｒ３の両端電圧が基準電圧Ｖｒとして入力される。また、点灯装置１０では、抵抗Ｒ４とスイッチング素子Ｑ３とコンデンサＣ３とが、時定数回路を構成している。この時定数回路は、基準電圧Ｖｒの電圧レベルを徐々に増加させるように構成されている。
【００４１】
スイッチング素子Ｑ３は、第１端子、第２端子および制御端子を有している。スイッチング素子Ｑ３は、例えば、バイポーラトランジスタである。スイッチング素子Ｑ３では、第１端子がコレクタ端子であり、第２端子がエミッタ端子であり、制御端子がベース端子である。
【００４２】
スイッチング素子Ｑ３のコレクタ端子は、抵抗Ｒ４と電気的に接続されている。スイッチング素子Ｑ３のエミッタ端子は、コンデンサＣ２の低電位側端子と電気的に接続されている。スイッチング素子Ｑ３のベース端子は、制御回路３と電気的に接続されている。
【００４３】
なお、スイッチング素子Ｑ３は、バイポーラトランジスタであるが、これに限らず、例えば、エンハンスメント型のｎチャネルＭＯＳＦＥＴ等であってもよい。
【００４４】
位相補償回路１５は、誤差増幅器１３から出力された差分の位相を補償するように構成されている。位相補償回路１５は、例えば、抵抗Ｒ５と、２つのコンデンサＣ４，Ｃ５とを備えている。
【００４５】
抵抗Ｒ５の第１端は、誤差増幅器１３の反転入力端子と電気的に接続されている。また、抵抗Ｒ５の第１端は、コンデンサＣ５を介して、誤差増幅器１３の出力端子と電気的に接続されている。抵抗Ｒ５の第２端は、コンデンサＣ４を介して、誤差増幅器１３の出力端子と電気的に接続されている。
【００４６】
発光部１６Ａとして用いたＬＥＤのアノードは、コンデンサＣ２の高電位側端子と電気的に接続されている。発光部１６Ａとして用いたＬＥＤのカソードは、誤差増幅器１３の出力端子と電気的に接続されている。
【００４７】
フィードバック回路６は、一対の出力端子２Ａ，２Ｂ間に流れる出力電流Ｉｏを検出するように構成されているが、この構成に限らない。フィードバック回路６は、例えば、一対の出力端子２Ａ，２Ｂ間に印加される電圧（以下、「出力電圧」）Ｖｏを検出するように構成されていてもよい。この場合、フィードバック回路６は、出力電圧Ｖｏに比例する電圧である検出電圧と基準電圧Ｖｒとの差分を制御回路３へフィードバックするように構成される。また、検出部１２は、出力電圧Ｖｏを検出するように構成される。
【００４８】
また、点灯装置１０は、フィルタ回路７と、整流回路（第２整流回路）８と、力率改善回路９と、コンデンサ（第４コンデンサ）Ｃ６と、電源回路１７とを更に備えている。
【００４９】
フィルタ回路７は、ノイズを除去するように構成されている。フィルタ回路７は、例えば、スイッチング素子Ｑ１から外部電源４０へ漏出するノイズ（スイッチングノイズ）を除去するように構成されている。また、フィルタ回路７は、例えば、スイッチング素子Ｑ２から外部電源４０へ漏出するノイズ（スイッチングノイズ）を除去するように構成されている。さらに、フィルタ回路７は、例えば、外部電源４０から出力された交流電圧に含まれるノイズを除去するように構成されている。フィルタ回路７は、一対の入力端と、一対の出力端とを備えている。
【００５０】
フィルタ回路７の一対の入力端は、一対の入力端子１Ａ，１Ｂと電気的に接続されている。フィルタ回路７の一対の出力端は、整流回路８と電気的に接続されている。
【００５１】
整流回路８は、一対の入力端子１Ａ，１Ｂに入力された交流電圧を整流するように構成されている。整流回路８は、例えば、一対の入力端子１Ａ，１Ｂに入力された交流電圧を全波整流するように構成されている。整流回路８は、例えば、ダイオードブリッジである。
【００５２】
整流回路８の一対の入力端は、フィルタ回路７の一対の出力端と電気的に接続されている。整流回路８の一対の出力端は、力率改善回路９と電気的に接続されている。
【００５３】
力率改善回路９は、整流回路８により整流された電圧の力率を改善するように構成されている。すなわち、力率改善回路９は、整流回路８により全波整流された電圧の力率を改善するように構成されている。力率改善回路９は、一対の入力端と、一対の出力端とを備えている。
【００５４】
力率改善回路９の一対の入力端は、整流回路８の一対の出力端と電気的に接続されている。力率改善回路９の一対の出力端間には、コンデンサＣ６が電気的に接続されている。
【００５５】
コンデンサＣ６は、力率改善回路９により力率改善された電圧を平滑するように構成されている。コンデンサＣ６は、例えば、電解コンデンサである。
【００５６】
コンデンサＣ６の両端間には、直列接続された２つのスイッチング素子Ｑ１，Ｑ２が電気的に接続されている。
【００５７】
電源回路１７は、第１直流電圧を生成するように構成されている。電源回路１７は、例えば、コンデンサＣ６の両端電圧を電源として、第１直流電圧を生成するように構成されている。また、電源回路１７は、第１直流電圧を制御回路３へ出力するように構成されている。点灯装置１０では、電源回路１７として、例えば、パナソニック社製の電源用ＩＰＤ（Intelligent Power Device）を用いている。なお、点灯装置１０では、電源回路１７として、パナソニック社製の電源用ＩＰＤを用いているが、これに限らず、例えば、バックコンバータ、フライバックコンバータ等を用いてもよい。また、電源回路１７は、コンデンサＣ６の両端電圧を電源として、第１直流電圧を生成するように構成されているが、この構成に限らない。
【００５８】
制御回路３は、上述のように、２つのスイッチング素子Ｑ１，Ｑ２それぞれを制御するように構成されている。また、制御回路３は、フィードバック回路６を制御するように構成されている。
【００５９】
制御回路３は、例えば、信号入力部１８と、３つの抵抗Ｒ６〜Ｒ８と、ツェナーダイオードＺ１と、第１フォトカプラの受光部１６Ｂと、第２フォトカプラの発光部１９Ａと、第２フォトカプラの受光部１９Ｂと、制御部２５とを備えている。発光部１９Ａは、例えば、ＬＥＤである。受光部１９Ｂは、例えば、フォトトランジスタである。第２フォトカプラでは、発光部１９Ａと受光部１９Ｂとが光学的に結合されている。
【００６０】
信号入力部１８は、例えば、調光信号が入力されるように構成されている。信号入力部１８は、例えば、一対の信号入力端子１８Ａ，１８Ｂを備えている。一対の信号入力端子１８Ａ，１８Ｂは、例えば、一対の信号線を媒体とする信号発生器からの調光信号が入力されるように構成されている。なお、調光信号は、光源部２０から放射される光の出力を指示する信号を意味する。調光信号としては、例えば、ＰＷＭ信号、ＤＣ信号等が挙げられる。
【００６１】
抵抗Ｒ６の第１端は、信号入力端子１８Ａと電気的に接続されている。抵抗Ｒ６の第２端は、抵抗Ｒ７の第１端と電気的に接続されている。また、抵抗Ｒ６の第２端は、ツェナーダイオードＺ１のカソードと電気的に接続されている。ツェナーダイオードＺ１のアノードは、信号入力端子１８Ｂと電気的に接続されている。抵抗Ｒ７の第２端は、発光部１９Ａと電気的に接続されている。
【００６２】
発光部１９Ａとして用いたＬＥＤのアノードは、抵抗Ｒ７の第２端と電気的に接続されている。発光部１９Ａとして用いたＬＥＤのカソードは、ツェナーダイオードＺ１のアノードと電気的に接続されている。
【００６３】
抵抗Ｒ８の第１端は、電源回路１７と電気的に接続されている。抵抗Ｒ８の第２端は、受光部１９Ｂと電気的に接続されている。
【００６４】
受光部１９Ｂとして用いたフォトトランジスタのコレクタ端子は、抵抗Ｒ８の第２端と電気的に接続されている。また、受光部１９Ｂとして用いたフォトトランジスタのコレクタ端子は、制御部２５と電気的に接続されている。受光部１９Ｂとして用いたフォトトランジスタのエミッタ端子は、コンデンサＣ２の低電位側端子と電気的に接続されている。
【００６５】
受光部１６Ｂとして用いたフォトトランジスタのコレクタ端子は、制御部２５と電気的に接続されている。受光部１６Ｂとして用いたフォトトランジスタのエミッタ端子は、コンデンサＣ２の低電位側端子と電気的に接続されている。
【００６６】
制御部２５は、２つのスイッチング素子Ｑ１，Ｑ２それぞれを制御するように構成されている。制御部２５は、例えば、マイクロコンピュータ（以下、「第１マイクロコンピュータ」）である。第１マイクロコンピュータは、プログラム（以下、「第１プログラム」）が記憶されたメモリを備えている。第１プログラムには、例えば、２つのスイッチング素子Ｑ１，Ｑ２それぞれを動作させる動作モード等が記述されている。なお、制御部２５は、第１マイクロコンピュータに限らず、例えば、制御用ＩＣであってもよい。
【００６７】
制御部２５は、スイッチング素子Ｑ１のゲート端子と電気的に接続されている。また、制御部２５は、スイッチング素子Ｑ２のゲート端子と電気的に接続されている。制御部２５は、電源回路１７と電気的に接続されている。また、制御部２５は、整流回路８の一対の出力端のうち高電位側の出力端と電気的に接続されている。
【００６８】
また、制御部２５は、フィードバック回路６を制御するように構成されている。
【００６９】
制御部２５は、生成部１４における抵抗Ｒ２の第１端と電気的に接続されている。また、制御部２５は、生成部１４におけるスイッチング素子Ｑ３のベース端子と電気的に接続されている。
【００７０】
なお、信号入力部１８は、一対の信号線からの調光信号が入力される一対の信号入力端子１８Ａ，１８Ｂを備えた構成であるが、この構成に限らない。信号入力部１８は、例えば、赤外線あるいは電波を媒体とするリモートコントローラ（以下、「リモコン」）からの調光信号が入力されるように構成されていてもよい。具体的に説明すると、信号入力部１８は、リモコンからの調光信号を受信する受信回路を備えた構成であってもよい。この場合、受信回路は、第２フォトカプラを介さずに、制御部２５と電気的に接続されていることが好ましい。
【００７１】
制御回路３は、２つのスイッチング素子Ｑ１，Ｑ２それぞれが各別に動作するように、２つのスイッチング素子Ｑ１，Ｑ２それぞれを制御する。具体的に説明すると、制御回路３は、スイッチング素子Ｑ１とスイッチング素子Ｑ２とが交互にオン状態となるように、２つのスイッチング素子Ｑ１，Ｑ２それぞれを制御する。
【００７２】
また、制御回路３は、２つのスイッチング素子Ｑ１，Ｑ２それぞれのスイッチング周波数が同じ周波数となるように、２つのスイッチング素子Ｑ１，Ｑ２それぞれを制御する。
【００７３】
点灯装置１０では、スイッチング素子Ｑ１がオン状態かつスイッチング素子Ｑ２がオフ状態のとき、コンデンサＣ６の高電位側端子、スイッチング素子Ｑ１、インダクタＬ３、インダクタＬ１、コンデンサＣ１、コンデンサＣ６の低電位側端子の経路で電流が流れる。これにより、点灯装置１０では、インダクタＬ３およびインダクタＬ１それぞれに磁気エネルギーが蓄積される。
【００７４】
また、点灯装置１０では、スイッチング素子Ｑ１がオン状態からオフ状態に、かつ、スイッチング素子Ｑ２がオフ状態からオン状態になったとき、インダクタＬ３およびインダクタＬ１それぞれに逆起電力が発生する。そして、点灯装置１０では、インダクタＬ３およびインダクタＬ１それぞれに逆起電力が発生すると、インダクタＬ３、スイッチング素子Ｑ２、コンデンサＣ１、インダクタＬ１の経路で電流が流れる。これにより、点灯装置１０では、インダクタＬ２の両端間に電圧（誘起電圧）が発生する。よって、点灯装置１０では、コンデンサＣ２の両端電圧が光源部２０の点灯電圧以上となったとき、光源部２０を点灯させることが可能となる。なお、光源部２０の点灯電圧とは、光源部２０を点灯させることができる最小電圧を意味する。また、光源部２０の点灯電圧は、例えば、固体発光素子２１がＬＥＤのとき、複数の固体発光素子２１における合計の順電圧（順方向電圧）である。
【００７５】
また、制御回路３は、誤差増幅器１３から出力される差分がゼロとなるように、２つのスイッチング素子Ｑ１，Ｑ２それぞれを制御する。点灯装置１０では、誤差増幅器１３から差分が出力されたとき、発光部１６Ａに電流が流れるので、受光部１６Ｂとして用いたフォトトランジスタのコレクタ端子に流れる電流（コレクタ電流）が変化する。制御部２５は、このコレクタ電流が変化するとき、誤差増幅器１３から出力される差分がゼロとなるように、２つのスイッチング素子Ｑ１，Ｑ２それぞれを制御する。これにより、点灯装置１０では、出力電流Ｉｏを、光源部２０に適した電流に定電流化することが可能となる。よって、点灯装置１０では、例えば、光源部２０から放射された光のちらつきを抑制することが可能となる。なお、光源部２０に適した電流とは、例えば、光源部２０から放射された光を見た人が、この光のちらつきを感じない程度に定電流化された電流を意味する。
【００７６】
制御回路３は、信号入力部１８に入力された調光信号に基づいて、２つのスイッチング素子Ｑ１，Ｑ２それぞれを制御する。制御回路３は、例えば、信号入力部１８に入力された調光信号に基づいて、２つのスイッチング素子Ｑ１，Ｑ２それぞれのスイッチング周波数を制御する。具体的に説明すると、制御部２５は、受光部１９Ｂとして用いたフォトトランジスタのコレクタ端子に流れる電流（コレクタ電流）の大きさに基づいて、２つのスイッチング素子Ｑ１，Ｑ２それぞれのスイッチング周波数を制御する。
【００７７】
制御部２５は、例えば、受光部１９Ｂのコレクタ電流が小さくなるに従って２つのスイッチング素子Ｑ１，Ｑ２それぞれのスイッチング周波数が低い周波数となるように、２つのスイッチング素子Ｑ１，Ｑ２それぞれを制御する。また、制御部２５は、例えば、受光部１９Ｂのコレクタ電流が大きくなるに従って２つのスイッチング素子Ｑ１，Ｑ２それぞれのスイッチング周波数が高い周波数となるように、２つのスイッチング素子Ｑ１，Ｑ２それぞれを制御する。これにより、点灯装置１０では、出力電流Ｉｏの大きさを調節することが可能となり、光源部２０を調光することが可能となる。なお、制御部２５として用いた第１マイクロコンピュータのメモリには、受光部１９Ｂのコレクタ電流の大きさと、２つのスイッチング素子Ｑ１，Ｑ２それぞれのスイッチング周波数とが対応付けられたデータテーブルが予め記憶されている。
【００７８】
また、制御回路３は、信号入力部１８に入力された調光信号に基づいて、フィードバック回路６の生成部１４を制御する。制御回路３は、例えば、信号入力部１８に入力された調光信号に基づいて、生成部１４により生成される基準電圧Ｖｒを変化させる。具体的に説明すると、制御部２５は、受光部１９Ｂとして用いたフォトトランジスタのコレクタ電流が変化すると、このコレクタ電流に比例する直流電圧（以下、「第２直流電圧」）を、生成部１４における第１抵抗分圧回路の抵抗Ｒ２へ出力する。これにより、制御回路３は、信号入力部１８に入力された調光信号に基づいて、生成部１４により生成される基準電圧Ｖｒを変化させることが可能となる。よって、点灯装置１０では、光源部２０を調光する場合であっても、出力電流Ｉｏを、光源部２０に適した電流に定電流化することが可能となる。
【００７９】
また、制御回路３は、２つのスイッチング素子Ｑ１，Ｑ２それぞれの動作を開始させたとき、２つのスイッチング素子Ｑ１，Ｑ２それぞれのスイッチング周波数を、相対的に高い周波数から相対的に低い周波数へ変化させる。具体的に説明すると、制御回路３は、２つのスイッチング素子Ｑ１，Ｑ２それぞれの動作を開始させたとき、基準電圧Ｖｒの電圧レベルが徐々に増加するようにフィードバック回路６の生成部１４を制御する。
【００８０】
制御部２５は、２つのスイッチング素子Ｑ１，Ｑ２それぞれの動作を開始させたとき、第２直流電圧を抵抗Ｒ２へ出力し、かつ、スイッチング素子Ｑ３がオン状態となるようにスイッチング素子Ｑ３を制御する。生成部１４では、上記時定数回路における抵抗Ｒ４とコンデンサＣ３とで決まる時定数によって、基準電圧Ｖｒの電圧レベルが徐々に増加する。これにより、制御回路３は、２つのスイッチング素子Ｑ１，Ｑ２それぞれの動作を開始させたとき、２つのスイッチング素子Ｑ１，Ｑ２それぞれのスイッチング周波数を、相対的に高い周波数から相対的に低い周波数へ変化させることが可能となる。よって、点灯装置１０では、２つのスイッチング素子Ｑ１，Ｑ２それぞれの動作を開始させたときに、各スイッチング素子Ｑ１，Ｑ２のドレイン−ソース間電圧にリンギングが発生するのを抑制することが可能となる。言い換えれば、点灯装置１０では、２つのスイッチング素子Ｑ１，Ｑ２それぞれが過渡的に変化するとき（例えば、ターンオンするとき）に、各スイッチング素子Ｑ１，Ｑ２のドレイン−ソース間電圧にリンギングが発生するのを抑制することが可能となる。その結果、点灯装置１０では、２つのスイッチング素子Ｑ１，Ｑ２それぞれに過度なストレスが加わるのを抑制することが可能となる。なお、抵抗Ｒ４の抵抗値とコンデンサＣ３のキャパシタンスとは、２つのスイッチング素子Ｑ１，Ｑ２それぞれの動作が開始するときに、基準電圧Ｖｒの電圧レベルが徐々に増加するように設定されている。
【００８１】
制御回路３は、２つのスイッチング素子Ｑ１，Ｑ２それぞれのスイッチング周波数の変化を開始させたとき、各スイッチング周波数が第１共振周波数以上となるように、２つのスイッチング素子Ｑ１，Ｑ２それぞれを制御することが好ましい。制御回路３は、２つのスイッチング素子Ｑ１，Ｑ２それぞれのスイッチング周波数の変化を終了させたとき、各スイッチング周波数が第１共振周波数未満かつ第２共振周波数以上となるように、２つのスイッチング素子Ｑ１，Ｑ２それぞれを制御することが好ましい。第１共振周波数は、インダクタＬ１のインダクタンスと、コンデンサＣ１のキャパシタンスとで決まる共振周波数である。第２共振周波数は、インダクタＬ１のインダクタンスと、インダクタＬ３のインダクタンスと、コンデンサＣ１のキャパシタンスとで決まる共振周波数である。これにより、点灯装置１０では、２つのスイッチング素子Ｑ１，Ｑ２それぞれが過渡的に変化するときに、各スイッチング素子Ｑ１，Ｑ２のドレイン−ソース間電圧にリンギングが発生するのを、より抑制することが可能となる。よって、点灯装置１０では、２つのスイッチング素子Ｑ１，Ｑ２それぞれに過度なストレスが加わるのを、より抑制することが可能となる。
【００８２】
なお、制御回路３は、２つのスイッチング素子Ｑ１，Ｑ２それぞれの動作を開始させたときに、基準電圧Ｖｒの電圧レベルが徐々に増加するようにフィードバック回路６を制御する構成であるが、この構成に限らない。制御回路３は、２つのスイッチング素子Ｑ１，Ｑ２それぞれの動作を開始させたときに、２つのスイッチング素子Ｑ１，Ｑ２それぞれのスイッチング周波数を、直接、相対的に高い周波数から相対的に低い周波数へ変化させるように構成されていてもよい。
【００８３】
制御回路３は、２つのスイッチング素子Ｑ１，Ｑ２それぞれの動作を開始させる前に、コンデンサＣ３に蓄積された電荷を放電させるように構成されていることが好ましい。また、制御回路３は、２つのスイッチング素子Ｑ１，Ｑ２それぞれの動作を開始させたときに、コンデンサＣ３を充電するように構成されていることが好ましい。具体的に説明すると、制御部２５は、２つのスイッチング素子Ｑ１，Ｑ２それぞれの動作を停止させたとき、第２直流電圧を抵抗Ｒ２へ出力するのを停止し、かつ、スイッチング素子Ｑ３がオン状態となるようにスイッチング素子Ｑ３を制御する。また、制御部２５は、２つのスイッチング素子Ｑ１，Ｑ２それぞれの動作を開始させたとき、第２直流電圧を抵抗Ｒ２へ出力し、かつ、スイッチング素子Ｑ３がオン状態となるようにスイッチング素子Ｑ３を制御する。これにより、制御回路３は、２つのスイッチング素子Ｑ１，Ｑ２それぞれの動作を開始させる前に、コンデンサＣ３に蓄積された電荷を放電させることが可能となる。よって、点灯装置１０では、２つのスイッチング素子Ｑ１，Ｑ２それぞれの動作を開始させたときに、コンデンサＣ３を徐々に充電することが可能となり、基準電圧Ｖｒの電圧レベルを徐々に増加させることが可能となる。その結果、点灯装置１０では、２つのスイッチング素子Ｑ１，Ｑ２それぞれが過渡的に変化するときに、各スイッチング素子Ｑ１，Ｑ２のドレイン−ソース間電圧にリンギングが発生するのを、より一層抑制することが可能となる。よって、点灯装置１０では、２つのスイッチング素子Ｑ１，Ｑ２それぞれに過度なストレスが加わるのを、より一層抑制することが可能となる。なお、点灯装置１０では、抵抗Ｒ４とスイッチング素子Ｑ３との直列回路が、コンデンサＣ３に蓄積された電荷を放電可能な放電回路を構成している。
【００８４】
制御回路３は、２つのスイッチング素子Ｑ１，Ｑ２それぞれの動作を停止させた時点から２つのスイッチング素子Ｑ１，Ｑ２それぞれの動作を開始させる時点までの間、誤差増幅器１３から出力される差分がゼロに近づくようにフィードバック回路６を制御する。なお、以下では、説明の便宜上、２つのスイッチング素子Ｑ１，Ｑ２それぞれの動作を停止させた時点から２つのスイッチング素子Ｑ１，Ｑ２それぞれの動作を開始させる時点までの間を、「第１停止期間のとき」と称することもある。
【００８５】
ところで、本願発明者は、点灯装置１０と基本構成が共通する比較例の点灯装置を考案した。
【００８６】
比較例の点灯装置は、制御回路３とは異なる制御回路を備えている。この制御回路は、制御回路３の機能と同様の機能を有している。また、上記制御回路は、第１停止期間のときに、誤差増幅器１３から出力される差分がゼロに近づくようにフィードバック回路６を制御する機能のみを有していない。
【００８７】
また、比較例の点灯装置は、上記制御回路以外に、点灯装置１０と同様の構成要素を備えている。なお、比較例の点灯装置では、点灯装置１０と同様の構成要素に同一の符号を付して説明を適宜省略する。
【００８８】
比較例の点灯装置では、図２に示すように、第１停止期間Ｔ１のとき、誤差増幅器１３から出力される差分が、２つのスイッチング素子Ｑ１，Ｑ２それぞれの動作を停止させる直前の差分に比べて、大きくなる。これにより、比較例の点灯装置では、２つのスイッチング素子Ｑ１，Ｑ２それぞれの動作を、再び開始させたとき（図２中のｔ５の時点）、出力電流Ｉｏにオーバーシュートが発生する。その結果、比較例の点灯装置では、例えば、光源部２０にサージ電流が流れる可能性がある。図２中のＶｉは、一対の入力端子１Ａ，１Ｂに入力される交流電圧を表している。図２中のＶｓは、誤差増幅器１３から出力される差分を表している。図２中のｔ１，ｔ４は、一対の入力端子１Ａ，１Ｂに交流電圧が入力された時点を表している。図２中のｔ２は、２つのスイッチング素子Ｑ１，Ｑ２それぞれの動作を開始させた時点を表している。図２中のｔ３は、一対の入力端子１Ａ，１Ｂに交流電圧が入力されなくなった時点と、２つのスイッチング素子Ｑ１，Ｑ２それぞれの動作を停止させた時点とを表している。なお、図２中のＶｉは、一対の入力端子１Ａ，１Ｂに入力される交流電圧の変化を模式的に表している。
【００８９】
制御回路３は、第１停止期間のとき、誤差増幅器１３に入力される検出電圧Ｖｄの電圧レベルが基準電圧Ｖｒの電圧レベル以上となるようにフィードバック回路６を制御する。具体的に説明すると、制御部２５は、誤差増幅器１３の反転入力端子と電気的に接続されている。制御部２５は、第１停止期間のとき、検出電圧Ｖｄの電圧レベルが基準電圧Ｖｒの電圧レベル以上となるように、誤差増幅器１３を制御する。これにより、点灯装置１０では、図３に示すように、第１停止期間Ｔ１のとき、誤差増幅器１３から出力される差分をゼロに近づけることが可能となる。よって、点灯装置１０では、２つのスイッチング素子Ｑ１，Ｑ２それぞれの動作を、再び開始させたとき（図３中のｔ１０の時点）、出力電流Ｉｏにオーバーシュートが発生するのを抑制することが可能となる。その結果、点灯装置１０では、例えば、光源部２０にサージ電流が流れるのを抑制することが可能となる。言い換えれば、点灯装置１０では、光源部２０から閃光が発生するのを抑制することが可能となる。図３中のＶｉは、一対の入力端子１Ａ，１Ｂに入力される交流電圧を表している。図３中のＶｓは、誤差増幅器１３から出力される差分を表している。図３中のｔ６，ｔ９は、一対の入力端子１Ａ，１Ｂに交流電圧が入力された時点を表している。図３中のｔ７は、２つのスイッチング素子Ｑ１，Ｑ２それぞれの動作を開始させた時点を表している。図３中のｔ８は、一対の入力端子１Ａ，１Ｂに交流電圧が入力されなくなった時点と、２つのスイッチング素子Ｑ１，Ｑ２それぞれの動作を停止させた時点とを表している。なお、図３中のＶｉは、一対の入力端子１Ａ，１Ｂに入力される交流電圧の変化を模式的に表している。また、光源部２０から閃光が発生するとは、光源部２０が一瞬だけ全点灯することを意味する。
【００９０】
制御回路３（より詳細には、制御部２５）は、所定期間を計時するタイマ５０を備えている。また、制御回路３は、２つのスイッチング素子Ｑ１，Ｑ２それぞれの動作を停止させたとき、タイマ５０により所定期間が計時された後に、２つのスイッチング素子Ｑ１，Ｑ２それぞれの動作を開始させるように構成されている。所定期間は、２つのスイッチング素子Ｑ１，Ｑ２それぞれの動作が停止する時点から誤差増幅器１３より出力される差分が予め設定された規定値よりも小さい時点までの期間に設定されている。上記規定値は、例えば、誤差増幅器１３から出力される差分が、２つのスイッチング素子Ｑ１，Ｑ２それぞれの動作を停止させる直前の差分よりも小さくなるように、設定されている。これにより、点灯装置１０では、２つのスイッチング素子Ｑ１，Ｑ２それぞれの動作を、再び開始させたとき、出力電流Ｉｏにオーバーシュートが発生するのを、より抑制することが可能となる。よって、点灯装置１０では、例えば、光源部２０にサージ電流が流れるのを、より抑制することが可能となる。言い換えれば、点灯装置１０では、光源部２０から閃光が発生するのを、より抑制することが可能となる。
【００９１】
制御回路３は、タイマ５０を備えているが、タイマ５０を備えていなくてもよい。この場合、制御回路３は、２つのスイッチング素子Ｑ１，Ｑ２それぞれの動作を停止させたとき、誤差増幅器１３から出力される差分が上記規定値以上となった後に、２つのスイッチング素子Ｑ１，Ｑ２それぞれの動作を開始させるように構成される。具体的に説明すると、制御部２５は、２つのスイッチング素子Ｑ１，Ｑ２それぞれの動作を停止させたとき、受光部１６Ｂのコレクタ電流が上記規定値以上となった後に、２つのスイッチング素子Ｑ１，Ｑ２それぞれの動作を開始させる。これにより、点灯装置１０では、制御回路３がタイマ５０を備えた場合と同様に、２つのスイッチング素子Ｑ１，Ｑ２それぞれの動作を、再び開始させたとき、出力電流Ｉｏにオーバーシュートが発生するのを、より抑制することが可能となる。よって、点灯装置１０では、例えば、光源部２０にサージ電流が流れるのを、より抑制することが可能となる。言い換えれば、点灯装置１０では、光源部２０から閃光が発生するのを、より抑制することが可能となる。
【００９２】
なお、整流回路５は、２つのダイオードＤ１，Ｄ２を備えた構成（いわゆる、ダイオード整流方式の構成）であるが、この構成に限らない。整流回路５は、例えば、同期整流方式の構成であってもよい。
【００９３】
また、インダクタＬ３は、結合部１１として用いたトランスと別体で構成されているが、この構成に限らない。インダクタＬ３は、例えば、結合部１１として用いたトランスの漏れインダクタンスで構成されていてもよい。
【００９４】
点灯装置１０は、２つのスイッチング素子Ｑ１，Ｑ２を備えた構成であるが、この構成に限らない。点灯装置１０は、３つ以上のスイッチング素子を備えた構成であってもよい。
【００９５】
また、点灯装置１０は、フィルタ回路７、整流回路８、力率改善回路９およびコンデンサＣ６を備えているが、フィルタ回路７、整流回路８、力率改善回路９およびコンデンサＣ６を備えていなくてもよい。この場合、外部電源４０は、直流電圧を出力するように構成される。
【００９６】
以上説明した点灯装置１０は、一対の入力端子１Ａ，１Ｂと、一対の出力端子２Ａ，２Ｂと、少なくとも２つのスイッチング素子Ｑ１，Ｑ２と、２つのスイッチング素子Ｑ１，Ｑ２それぞれを制御する制御回路３とを備えている。また、点灯装置１０は、第１インダクタＬ１と第２インダクタＬ２とを有する結合部１１、第３インダクタＬ３および第１コンデンサＣ１を具備する共振回路４を備えている。さらに、点灯装置１０は、第２インダクタＬ２の両端電圧を整流する整流回路５と、整流回路５により整流された電圧を平滑する第２コンデンサＣ２とを備えている。また、点灯装置１０は、フィードバック回路６を備えている。フィードバック回路６は、一対の出力端子２Ａ，２Ｂ間に流れる電流である出力電流Ｉｏもしくは一対の出力端子２Ａ，２Ｂ間に印加される電圧である出力電圧Ｖｏを検出するように構成されている。また、フィードバック回路６は、出力電流Ｉｏもしくは出力電圧Ｖｏに比例する電圧である検出電圧Ｖｄと基準電圧Ｖｒとの差分を制御回路３へフィードバックするように構成されている。第１インダクタＬ１と第２インダクタＬ２とは、磁気的に結合されている。２つのスイッチング素子Ｑ１，Ｑ２は、直列接続されている。直列接続された２つのスイッチング素子Ｑ１，Ｑ２は、一対の入力端子１Ａ，１Ｂ間に電気的に接続されている。第１インダクタＬ１の第１端には、第３インダクタＬ３が接続されている。第１インダクタＬ１の第２端には、第１コンデンサＣ１が接続されている。第３インダクタＬ３と第１インダクタＬ１と第１コンデンサＣ１との直列回路は、２つのスイッチング素子Ｑ１，Ｑ２のうち１つのスイッチング素子Ｑ２と並列に接続されている。第２コンデンサＣ２は、一対の出力端子２Ａ，２Ｂ間に電気的に接続されている。フィードバック回路６は、出力電流Ｉｏもしくは出力電圧Ｖｏを検出する検出部１２と、検出電圧Ｖｄと基準電圧Ｖｒとが入力され上記差分を出力する誤差増幅器１３とを備えている。制御回路３は、２つのスイッチング素子Ｑ１，Ｑ２それぞれが各別に動作し、かつ、誤差増幅器１３から出力される上記差分がゼロとなるように、２つのスイッチング素子Ｑ１，Ｑ２それぞれを制御する。制御回路３は、２つのスイッチング素子Ｑ１，Ｑ２それぞれの動作を開始させたときに、２つのスイッチング素子Ｑ１，Ｑ２それぞれのスイッチング周波数を、相対的に高い周波数から相対的に低い周波数へ変化させるように構成されている。制御回路３は、２つのスイッチング素子Ｑ１，Ｑ２それぞれの動作を停止させた時点から２つのスイッチング素子Ｑ１，Ｑ２それぞれの動作を開始させる時点までの間、誤差増幅器１３から出力される上記差分がゼロに近づくようにフィードバック回路６を制御する。これにより、点灯装置１０では、２つのスイッチング素子Ｑ１，Ｑ２それぞれの動作を、再び開始させたとき、出力電流Ｉｏにオーバーシュートが発生するのを抑制することが可能となる。よって、点灯装置１０では、サージ電流が流れるのを抑制することが可能となる。
【００９７】
また、点灯装置１０において、制御回路３は、２つのスイッチング素子Ｑ１，Ｑ２それぞれの動作を開始させたとき、２つのスイッチング素子Ｑ１，Ｑ２それぞれのスイッチング周波数を、相対的に高い周波数から相対的に低い周波数へ変化させる。これにより、点灯装置１０では、２つのスイッチング素子Ｑ１，Ｑ２それぞれの動作を開始させたとき、各スイッチング素子Ｑ１，Ｑ２のドレイン−ソース間電圧にリンギングが発生するのを抑制することが可能となる。よって、点灯装置１０では、２つのスイッチング素子Ｑ１，Ｑ２それぞれに過度なストレスが加わるのを抑制することが可能となる。
【００９８】
制御回路３は、上述のように、２つのスイッチング素子Ｑ１，Ｑ２それぞれのスイッチング周波数が同じ周波数となるように、２つのスイッチング素子Ｑ１，Ｑ２それぞれを制御することが好ましい。制御回路３は、２つのスイッチング素子Ｑ１，Ｑ２それぞれのスイッチング周波数の変化を開始するとき、２つのスイッチング素子Ｑ１，Ｑ２それぞれのスイッチング周波数が第１共振周波数以上となるように、２つのスイッチング素子Ｑ１，Ｑ２それぞれを制御することが好ましい。第１共振周波数は、第１インダクタＬ１のインダクタンスと第１コンデンサＣ１のキャパシタンスとで決まる共振周波数である。また、制御回路３は、２つのスイッチング素子Ｑ１，Ｑ２それぞれのスイッチング周波数の変化を終了するとき、２つのスイッチング素子Ｑ１，Ｑ２それぞれのスイッチング周波数が第１共振周波数未満で、かつ、第２共振周波数以上となるように、２つのスイッチング素子Ｑ１，Ｑ２それぞれを制御することが好ましい。第２共振周波数は、第１インダクタＬ１のインダクタンスと第３インダクタＬ３のインダクタンスと第１コンデンサＣ１のキャパシタンスとで決まる共振周波数である。これにより、点灯装置１０では、２つのスイッチング素子Ｑ１，Ｑ２それぞれの動作を開始させたとき、各スイッチング素子Ｑ１，Ｑ２のドレイン−ソース間電圧にリンギングが発生するのを、より抑制することが可能となる。よって、点灯装置１０では、２つのスイッチング素子Ｑ１，Ｑ２それぞれに過度なストレスが加わるのを、より抑制することが可能となる。
【００９９】
制御回路３は、上述のように、２つのスイッチング素子Ｑ１，Ｑ２それぞれの動作を開始させたとき、誤差増幅器１３に入力される基準電圧Ｖｒの電圧レベルが徐々に増加するように、フィードバック回路６を制御することが好ましい。これにより、点灯装置１０では、２つのスイッチング素子Ｑ１，Ｑ２それぞれの動作を開始させたとき、２つのスイッチング素子Ｑ１，Ｑ２それぞれのスイッチング周波数を、相対的に高い周波数から相対的に低い周波数へ変化させることが可能となる。よって、点灯装置１０では、２つのスイッチング素子Ｑ１，Ｑ２それぞれの動作を開始させたときに、各スイッチング素子Ｑ１，Ｑ２のドレイン−ソース間電圧にリンギングが発生するのを抑制することが可能となる。
【０１００】
フィードバック回路６は、上述のように、基準電圧Ｖｒを生成する生成部１４を更に備えていることが好ましい。生成部１４は、上述のように、第３コンデンサＣ３を備えていることが好ましい。誤差増幅器１３は、上述のように、第３コンデンサＣ３の両端電圧が基準電圧Ｖｒとして入力されるように構成されていることが好ましい。制御回路３は、２つのスイッチング素子Ｑ１，Ｑ２それぞれの動作を開始させる前に、第３コンデンサＣ３に蓄積された電荷を放電させるように構成されていることが好ましい。また、制御回路３は、２つのスイッチング素子Ｑ１，Ｑ２それぞれの動作を開始させたときに、第３コンデンサＣ３を充電するように構成されていることが好ましい。これにより、点灯装置１０では、２つのスイッチング素子Ｑ１，Ｑ２それぞれの動作を開始させる前に、コンデンサＣ３に蓄積された電荷を放電することが可能となる。よって、点灯装置１０では、２つのスイッチング素子Ｑ１，Ｑ２それぞれの動作を開始させたとき、コンデンサＣ３を徐々に充電することが可能となり、基準電圧Ｖｒの電圧レベルを徐々に増加させることが可能となる。その結果、点灯装置１０では、２つのスイッチング素子Ｑ１，Ｑ２それぞれの動作を開始させたとき、各スイッチング素子Ｑ１，Ｑ２のドレイン−ソース間電圧にリンギングが発生するのを、より一層抑制することが可能となる。よって、点灯装置１０では、２つのスイッチング素子Ｑ１，Ｑ２それぞれに過度なストレスが加わるのを、より一層抑制することが可能となる。
【０１０１】
制御回路３は、上述のように、２つのスイッチング素子Ｑ１，Ｑ２それぞれの動作を停止させた時点から２つのスイッチング素子Ｑ１，Ｑ２それぞれの動作を開始させる時点までの間、誤差増幅器１３に入力される検出電圧Ｖｄの電圧レベルが基準電圧Ｖｒの電圧レベル以上となるようにフィードバック回路６を制御することが好ましい。これにより、点灯装置１０では、２つのスイッチング素子Ｑ１，Ｑ２それぞれの動作を停止させた時点から２つのスイッチング素子Ｑ１，Ｑ２それぞれの動作を開始させる時点までの間、誤差増幅器１３から出力される上記差分をゼロにすることが可能となる。よって、点灯装置１０では、２つのスイッチング素子Ｑ１，Ｑ２それぞれの動作を、再び開始させたとき、出力電流Ｉｏにオーバーシュートが発生するのを、より抑制することが可能となる。その結果、点灯装置１０では、サージ電流が流れるのを、より抑制することが可能となる。
【０１０２】
制御回路３は、上述のように、所定期間を計時するタイマ５０を備えていることが好ましい。所定期間は、２つのスイッチング素子Ｑ１，Ｑ２それぞれの動作が停止する時点から誤差増幅器１３より出力される上記差分が予め設定された規定値よりも小さい時点までの期間である。また、制御回路３は、２つのスイッチング素子Ｑ１，Ｑ２それぞれの動作を停止させたとき、タイマ５０により所定期間が計時された後に、２つのスイッチング素子Ｑ１，Ｑ２それぞれの動作を開始させるように構成されていることが好ましい。これにより、点灯装置１０では、２つのスイッチング素子Ｑ１，Ｑ２それぞれの動作を停止させた後に、再び、２つのスイッチング素子Ｑ１，Ｑ２それぞれの動作を開始させたとき、出力電流Ｉｏにオーバーシュートが発生するのを、より抑制することが可能となる。よって、点灯装置１０では、サージ電流が流れるのを、より抑制することが可能となる。
【０１０３】
制御回路３は、２つのスイッチング素子Ｑ１，Ｑ２それぞれの動作を停止させたとき、誤差増幅器１３から出力される上記差分が予め設定された規定値以上となった後に、２つのスイッチング素子Ｑ１，Ｑ２それぞれの動作を開始させるように構成されていることが好ましい。これにより、点灯装置１０では、２つのスイッチング素子Ｑ１，Ｑ２それぞれの動作を停止させた後に、再び、２つのスイッチング素子Ｑ１，Ｑ２それぞれの動作を開始させたとき、出力電流Ｉｏにオーバーシュートが発生するのを、より抑制することが可能となる。よって、点灯装置１０では、サージ電流が流れるのを、より抑制することが可能となる。
【０１０４】
点灯装置１０は、上述のように、フィルタ回路７と、整流回路５である第１整流回路とは異なる第２整流回路８と、力率改善回路９と、第４コンデンサＣ６とを更に備えていることが好ましい。フィルタ回路７は、ノイズを除去するように構成されていることが好ましい。第２整流回路８は、一対の入力端子１Ａ，１Ｂに入力された交流電圧を整流するように構成されていることが好ましい。力率改善回路９は、第２整流回路８により整流された電圧の力率を改善するように構成されていることが好ましい。第４コンデンサＣ６は、力率改善回路９により力率改善された電圧を平滑するように構成されていることが好ましい。フィルタ回路７は、一対の入力端子１Ａ，１Ｂと電気的に接続されていることが好ましい。フィルタ回路７は、第２整流回路８と電気的に接続されていることが好ましい。第４コンデンサＣ６の両端間には、直列接続された２つのスイッチング素子Ｑ１，Ｑ２が電気的に接続されていることが好ましい。これにより、点灯装置１０では、外部電源４０として、交流電源を用いることが可能となる。また、点灯装置１０では、フィルタ回路７を備えているので、例えば、スイッチング素子Ｑ１およびスイッチング素子Ｑ２から外部電源４０へ漏出するノイズを除去することが可能となり、信頼性を向上させることが可能となる。
【０１０５】
以下では、点灯装置１０を備えた照明器具３０について、図４に基づいて説明する。
【０１０６】
照明器具３０は、例えば、夜間に道路等を照らす街路灯である。照明器具３０は、アーム３２を用いて、ポール３３に取り付けられるように構成されている。
【０１０７】
アーム３２は、照明器具３０を保持するように構成されている。また、アーム３２は、ポール３３に取り付けられるように構成されている。アーム３２は、例えば、金属により形成されている。
【０１０８】
ポール３３は、例えば、柱状に構成されている。また、ポール３３は、アーム３２が取り付けられるように構成されている。ポール３３は、例えば、金属により形成されている。ポール３３は、例えば、道路等に設置される。
【０１０９】
照明器具３０は、例えば、光源部２０と、点灯装置１０と、器具本体３１とを備えている。
【０１１０】
光源部２０は、複数の固体発光素子２１から放射された光を透過するカバー２２を備えている。
【０１１１】
カバー２２は、板状に形成されている。カバー２２は、例えば、ガラスにより形成されている。なお、カバー２２は、ガラスにより形成されているが、これに限らず、例えば、合成樹脂により形成されていてもよい。
【０１１２】
器具本体３１は、光源部２０および点灯装置１０が取り付けられるように構成されている。また、器具本体３１は、カバー２２を保持するように構成されている。器具本体３１は、例えば、金属により形成されている。
【０１１３】
なお、照明器具３０は、街路灯等の屋外用照明器具に限らず、例えば、シーリングライト、スポットライト、ダウンライト等の屋内用照明器具であってもよい。
【０１１４】
以上説明した照明器具３０は、固体発光素子２１を具備する光源部２０と、点灯装置１０とを備えている。点灯装置１０は、光源部２０を点灯させるように構成されている。これにより、照明器具３０では、サージ電流が流れるのを抑制することが可能な点灯装置１０を備えた照明器具３０を提供することができる。
【０１１５】
（実施形態２）
実施形態２の点灯装置１０Ａの基本構成は、実施形態１の点灯装置１０と同じであり、図５に示すように、点灯装置１０における制御回路３とは異なる制御回路２３を備えている点等が、点灯装置１０と相違する。なお、点灯装置１０Ａでは、点灯装置１０と同様の構成要素に同一の符号を付して説明を適宜省略する。
【０１１６】
点灯装置１０Ａは、点灯装置１０と同様に、光源部２０を点灯させるように構成されている。また、点灯装置１０Ａは、点灯装置１０におけるフィードバック回路６とは異なるフィードバック回路２４を備えている。
【０１１７】
制御回路２３は、２つのスイッチング素子Ｑ１，Ｑ２それぞれを制御するように構成されている。また、制御回路２３は、フィードバック回路２４を制御するように構成されている。制御回路２３は、点灯装置１０における制御部２５の代わりに、制御部２６を備えている。
【０１１８】
制御部２６は、２つのスイッチング素子Ｑ１，Ｑ２それぞれを制御するように構成されている。制御部２６は、例えば、マイクロコンピュータ（以下、「第２マイクロコンピュータ」）である。第２マイクロコンピュータは、プログラム（以下、「第２プログラム」）が記憶されたメモリを備えている。第２プログラムには、例えば、２つのスイッチング素子Ｑ１，Ｑ２それぞれを動作させる動作モード等が記述されている。なお、制御部２６は、第２マイクロコンピュータに限らず、例えば、制御用ＩＣであってもよい。
【０１１９】
制御部２６は、スイッチング素子Ｑ１のゲート端子と電気的に接続されている。また、制御部２６は、スイッチング素子Ｑ２のゲート端子と電気的に接続されている。制御部２６は、電源回路１７と電気的に接続されている。また、制御部２６は、整流回路８の一対の出力端のうち高電位側の出力端と電気的に接続されている。制御部２６は、受光部１９Ｂとして用いたフォトトランジスタのコレクタ端子と電気的に接続されている。また、制御部２６は、受光部１６Ｂとして用いたフォトトランジスタのコレクタ端子と電気的に接続されている。
【０１２０】
フィードバック回路２４は、出力電流Ｉｏを検出するように構成されている。また、フィードバック回路２４は、検出電圧Ｖｄと基準電圧Ｖｒとの差分を制御回路２３（より詳細には、制御部２６）へフィードバックするように構成されている。
【０１２１】
フィードバック回路２４は、例えば、検出部１２と、誤差増幅器１３と、生成部１４と、位相補償回路１５と、第１フォトカプラの発光部１６Ａと、２つの抵抗Ｒ１，Ｒ９と、スイッチング素子Ｑ４とを備えている。
【０１２２】
抵抗Ｒ９の第１端は、誤差増幅器１３の出力端子と電気的に接続されている。抵抗Ｒ９の第２端は、発光部１６Ａとして用いたＬＥＤのカソードと電気的に接続されている。
【０１２３】
スイッチング素子Ｑ４は、第１端子、第２端子および制御端子を有している。スイッチング素子Ｑ４は、例えば、バイポーラトランジスタである。スイッチング素子Ｑ４では、第１端子がコレクタ端子であり、第２端子がエミッタ端子であり、制御端子がベース端子である。
【０１２４】
スイッチング素子Ｑ４のコレクタ端子は、抵抗Ｒ９の第２端と電気的に接続されている。スイッチング素子Ｑ４のエミッタ端子は、コンデンサＣ２の低電位側端子と電気的に接続されている。スイッチング素子Ｑ４のベース端子は、制御回路２３（より詳細には、制御部２６）と電気的に接続されている。
【０１２５】
なお、スイッチング素子Ｑ４は、バイポーラトランジスタであるが、これに限らず、例えば、エンハンスメント型のｎチャネルＭＯＳＦＥＴ等であってもよい。また、フィードバック回路２４は、出力電流Ｉｏを検出するように構成されているが、この構成に限らない。フィードバック回路２４は、例えば、出力電圧Ｖｏを検出するように構成されていてもよい。この場合、フィードバック回路２４は、出力電圧Ｖｏに比例する電圧である検出電圧と基準電圧Ｖｒとの差分を制御回路２３へフィードバックするように構成される。また、検出部１２は、出力電圧Ｖｏを検出するように構成される。
【０１２６】
制御部２６は、フィードバック回路２４を制御するように構成されている。
【０１２７】
制御部２６は、生成部１４における抵抗Ｒ２の第１端と電気的に接続されている。また、制御部２６は、生成部１４におけるスイッチング素子Ｑ３のベース端子と電気的に接続されている。
【０１２８】
制御回路２３は、第１停止期間のとき、誤差増幅器１３から出力される差分がゼロに近づくようにフィードバック回路２４を制御する。制御回路２３は、例えば、第１停止期間のとき、誤差増幅器１３から出力される差分がゼロとなるようにフィードバック回路２４を制御する。
【０１２９】
具体的に説明すると、制御部２６は、スイッチング素子Ｑ４のベース端子と電気的に接続されている。制御部２６は、第１停止期間のとき、スイッチング素子Ｑ４がオン状態となるように、スイッチング素子Ｑ４を制御する。これにより、制御回路２３は、第１停止期間のとき、誤差増幅器１３から出力される差分をゼロにすることが可能となる。よって、点灯装置１０Ａでは、２つのスイッチング素子Ｑ１，Ｑ２それぞれの動作を、再び開始させたとき、出力電流Ｉｏにオーバーシュートが発生するのを、より抑制することが可能となる。その結果、点灯装置１０Ａでは、例えば、光源部２０にサージ電流が流れるのを、より抑制することが可能となる。言い換えれば、点灯装置１０Ａでは、光源部２０から閃光が発生するのを、より抑制することが可能となる。
【０１３０】
なお、制御回路２３は、第１停止期間のときに誤差増幅器１３から出力される差分がゼロとなるようにフィードバック回路２４を制御する機能以外、制御回路３の機能と同様の機能を有している。また、制御回路２３（より詳細には、制御部２６）は、タイマ５０を備えていてもよいし、タイマ５０を備えていなくてもよい。
【０１３１】
また、点灯装置１０Ａは、点灯装置１０の代わりに照明器具３０に適用されてもよい。
【０１３２】
以上説明した点灯装置１０Ａにおいて、制御回路２３は、少なくとも２つのスイッチング素子Ｑ１，Ｑ２それぞれの動作を停止させた時点から２つのスイッチング素子Ｑ１，Ｑ２それぞれの動作を開始させる時点までの間、誤差増幅器１３から出力される差分がゼロとなるようにフィードバック回路２４を制御する。これにより、点灯装置１０Ａでは、２つのスイッチング素子Ｑ１，Ｑ２それぞれの動作を停止させた後に、再び、２つのスイッチング素子Ｑ１，Ｑ２それぞれの動作を開始させたとき、出力電流Ｉｏにオーバーシュートが発生するのをより抑制することが可能となる。よって、点灯装置１０Ａでは、サージ電流が流れるのを、より抑制することが可能となる。
【０１３３】
（実施形態３）
実施形態３の点灯装置１０Ｂの基本構成は、実施形態１の点灯装置１０と同じであり、図６に示すように、点灯装置１０における制御回路３とは異なる制御回路２７を備えている点等が、点灯装置１０と相違する。なお、点灯装置１０Ｂでは、点灯装置１０と同様の構成要素に同一の符号を付して説明を適宜省略する。
【０１３４】
点灯装置１０Ｂは、点灯装置１０と同様に、光源部２０を点灯させるように構成されている。また、点灯装置１０Ｂは、点灯装置１０におけるフィードバック回路６とは異なるフィードバック回路２８を備えている。
【０１３５】
制御回路２７は、２つのスイッチング素子Ｑ１，Ｑ２それぞれを制御するように構成されている。また、制御回路２７は、フィードバック回路２８を制御するように構成されている。制御回路２７は、点灯装置１０における制御部２５の代わりに、制御部２９を備えている。
【０１３６】
制御部２９は、２つのスイッチング素子Ｑ１，Ｑ２それぞれを制御するように構成されている。制御部２９は、例えば、マイクロコンピュータ（以下、「第３マイクロコンピュータ」）である。第３マイクロコンピュータは、プログラム（以下、「第３プログラム」）が記憶されたメモリを備えている。第３プログラムには、例えば、２つのスイッチング素子Ｑ１，Ｑ２それぞれを動作させる動作モード等が記述されている。なお、制御部２９は、第３マイクロコンピュータに限らず、例えば、制御用ＩＣであってもよい。
【０１３７】
制御部２９は、スイッチング素子Ｑ１のゲート端子と電気的に接続されている。また、制御部２９は、スイッチング素子Ｑ２のゲート端子と電気的に接続されている。制御部２９は、電源回路１７と電気的に接続されている。また、制御部２９は、整流回路８の一対の出力端のうち高電位側の出力端と電気的に接続されている。制御部２９は、受光部１９Ｂとして用いたフォトトランジスタのコレクタ端子と電気的に接続されている。また、制御部２９は、受光部１６Ｂとして用いたフォトトランジスタのコレクタ端子と電気的に接続されている。
【０１３８】
フィードバック回路２８は、出力電流Ｉｏを検出するように構成されている。また、フィードバック回路２８は、検出電圧Ｖｄと基準電圧Ｖｒとの差分を制御回路２７（より詳細には、制御部２９）へフィードバックするように構成されている。
【０１３９】
フィードバック回路２８は、例えば、検出部１２と、誤差増幅器１３と、生成部１４と、位相補償回路１５と、第１フォトカプラの発光部１６Ａと、抵抗Ｒ１と、スイッチング素子Ｑ５とを備えている。
【０１４０】
スイッチング素子Ｑ５は、第１端子、第２端子および制御端子を有している。スイッチング素子Ｑ５は、例えば、バイポーラトランジスタである。スイッチング素子Ｑ５では、第１端子がコレクタ端子であり、第２端子がエミッタ端子であり、制御端子がベース端子である。
【０１４１】
スイッチング素子Ｑ５のコレクタ端子は、電源回路１７と電気的に接続されている。スイッチング素子Ｑ５のエミッタ端子は、誤差増幅器１３の正極側の電源端子と電気的に接続されている。スイッチング素子Ｑ５のベース端子は、制御回路２７（より詳細には、制御部２９）と電気的に接続されている。
【０１４２】
誤差増幅器１３の負極側の電源端子は、コンデンサＣ２の低電位側端子と電気的に接続されている。
【０１４３】
なお、スイッチング素子Ｑ５は、バイポーラトランジスタであるが、これに限らず、例えば、エンハンスメント型のｎチャネルＭＯＳＦＥＴ等であってもよい。また、フィードバック回路２８は、出力電流Ｉｏを検出するように構成されているが、この構成に限らない。フィードバック回路２８は、例えば、出力電圧Ｖｏを検出するように構成されていてもよい。この場合、フィードバック回路２８は、出力電圧Ｖｏに比例する電圧である検出電圧と基準電圧Ｖｒとの差分を制御回路２７へフィードバックするように構成される。また、検出部１２は、出力電圧Ｖｏを検出するように構成される。
【０１４４】
電源回路１７は、直流電圧（以下、「第３直流電圧」）を出力するように構成されている。また、電源回路１７は、スイッチング素子Ｑ５を介して、誤差増幅器１３へ第３直流電圧を出力するように構成されている。第３直流電圧は、誤差増幅器１３を動作させる電圧（動作電圧）である。
【０１４５】
制御部２９は、フィードバック回路２８を制御するように構成されている。
【０１４６】
制御部２９は、生成部１４における抵抗Ｒ２の第１端と電気的に接続されている。また、制御部２９は、生成部１４におけるスイッチング素子Ｑ３のベース端子と電気的に接続されている。
【０１４７】
制御回路２７は、第１停止期間のとき、誤差増幅器１３から出力される差分がゼロに近づくようにフィードバック回路２８を制御する。制御回路２７は、例えば、第１停止期間のとき、誤差増幅器１３に供給される電源を遮断する。
【０１４８】
具体的に説明すると、制御部２９は、例えば、スイッチング素子Ｑ５のベース端子と電気的に接続されている。制御部２９は、第１停止期間のとき、スイッチング素子Ｑ５がオン状態となるように、スイッチング素子Ｑ５を制御する。これにより、制御回路２７は、第１停止期間のとき、誤差増幅器１３に供給される電源を遮断することが可能となる。よって、制御回路２７は、第１停止期間のとき、誤差増幅器１３から出力される差分をゼロにすることが可能となる。その結果、点灯装置１０Ｂでは、２つのスイッチング素子Ｑ１，Ｑ２それぞれの動作を、再び開始させたとき、出力電流Ｉｏにオーバーシュートが発生するのを、より抑制することが可能となる。したがって、点灯装置１０Ｂでは、例えば、光源部２０にサージ電流が流れるのを、より抑制することが可能となる。言い換えれば、点灯装置１０Ｂでは、光源部２０から閃光が発生するのを、より抑制することが可能となる。
【０１４９】
なお、制御回路２７は、第１停止期間のときに誤差増幅器１３に供給される電源を遮断する機能以外、制御回路３の機能と同様の機能を有している。また、制御回路２７（より詳細には、制御部２９）は、タイマ５０を備えていてもよいし、タイマ５０を備えていなくてもよい。
【０１５０】
また、制御回路２７は、スイッチング素子Ｑ５を制御することで、誤差増幅器１３に供給される電源を遮断するように構成されているが、この構成に限らない。制御回路２７は、例えば、電源回路１７を、直接、制御することで、誤差増幅器１３に供給される電源を遮断するように構成されていてもよい。
【０１５１】
また、点灯装置１０Ｂでは、電源回路１７が制御回路２７の外部に設けられた構成であるが、この構成に限らない。点灯装置１０Ｂでは、制御回路２７が電源回路１７を備えた構成であってもよい。この場合、電源回路１７は、整流回路８の一対の出力端のうち高電位側の出力端と電気的に接続される。また、この場合、電源回路１７は、整流回路８により全波整流された電圧が所定電圧未満になったとき、第３直流電圧を出力するのを停止するように構成される。これにより、制御回路２７は、第１停止期間のとき、誤差増幅器１３から出力される差分をゼロに近づけることが可能となる。よって、点灯装置１０Ｂでは、２つのスイッチング素子Ｑ１，Ｑ２それぞれの動作を、再び開始させたとき、出力電流Ｉｏにオーバーシュートが発生するのを抑制することが可能となる。その結果、点灯装置１０Ｂでは、例えば、光源部２０にサージ電流が流れるのを抑制することが可能となる。言い換えれば、点灯装置１０Ｂでは、光源部２０から閃光が発生するのを抑制することが可能となる。
【０１５２】
また、点灯装置１０Ｂは、点灯装置１０の代わりに照明器具３０に適用されてもよい。
【０１５３】
以上説明した点灯装置１０Ｂにおいて、制御回路２７は、少なくとも２つのスイッチング素子Ｑ１，Ｑ２それぞれの動作を停止させた時点から２つのスイッチング素子Ｑ１，Ｑ２それぞれの動作を開始させる時点までの間、誤差増幅器１３に供給される電源を遮断するように構成されている。これにより、点灯装置１０Ｂでは、２つのスイッチング素子Ｑ１，Ｑ２それぞれの動作を停止させた後に、再び、２つのスイッチング素子Ｑ１，Ｑ２それぞれの動作を開始させたとき、出力電流Ｉｏにオーバーシュートが発生するのをより抑制することが可能となる。よって、点灯装置１０Ｂでは、サージ電流が流れるのを、より抑制することが可能となる。
【０１５４】
（実施形態４）
実施形態４の点灯装置１０Ｃの基本構成は、実施形態１の点灯装置１０と同じであり、図７に示すように、点灯装置１０における制御回路３とは異なる制御回路５１を備えている点等が、点灯装置１０と相違する。なお、点灯装置１０Ｃでは、点灯装置１０と同様の構成要素に同一の符号を付して説明を適宜省略する。
【０１５５】
点灯装置１０Ｃは、点灯装置１０と同様に、光源部２０を点灯させるように構成されている。また、点灯装置１０Ｃは、点灯装置１０におけるフィードバック回路６とは異なるフィードバック回路５２と、コンデンサＣ７とを備えている。なお、点灯装置１０Ｃでは、コンデンサＣ２として、電解コンデンサを用いる代わりに、例えば、セラミックコンデンサを用いている。
【０１５６】
制御回路５１は、２つのスイッチング素子Ｑ１，Ｑ２それぞれを制御するように構成されている。また、制御回路５１は、フィードバック回路５２を制御するように構成されている。制御回路５１は、点灯装置１０における制御部２５の代わりに、制御部５３を備えている。
【０１５７】
制御部５３は、２つのスイッチング素子Ｑ１，Ｑ２それぞれを制御するように構成されている。制御部５３は、例えば、マイクロコンピュータ（以下、「第４マイクロコンピュータ」）である。第４マイクロコンピュータは、プログラム（以下、「第４プログラム」）が記憶されたメモリを備えている。第４プログラムには、例えば、２つのスイッチング素子Ｑ１，Ｑ２それぞれを動作させる動作モード等が記述されている。なお、制御部５３は、第４マイクロコンピュータに限らず、例えば、制御用ＩＣであってもよい。
【０１５８】
制御部５３は、スイッチング素子Ｑ１のゲート端子と電気的に接続されている。また、制御部５３は、スイッチング素子Ｑ２のゲート端子と電気的に接続されている。制御部５３は、電源回路１７と電気的に接続されている。また、制御部５３は、整流回路８の一対の出力端のうち高電位側の出力端と電気的に接続されている。制御部５３は、受光部１９Ｂとして用いたフォトトランジスタのコレクタ端子と電気的に接続されている。また、制御部５３は、受光部１６Ｂとして用いたフォトトランジスタのコレクタ端子と電気的に接続されている。
【０１５９】
フィードバック回路５２は、出力電流Ｉｏを検出するように構成されている。また、フィードバック回路５２は、検出電圧Ｖｄと基準電圧Ｖｒとの差分を制御回路５１（より詳細には、制御部５３）へフィードバックするように構成されている。
【０１６０】
フィードバック回路５２は、例えば、検出部１２と、誤差増幅器１３と、位相補償回路１５と、第１フォトカプラの発光部１６Ａと、抵抗Ｒ１とを備えている。また、フィードバック回路５２は、点灯装置１０における生成部１４とは異なる生成部５４を備えている。
【０１６１】
生成部５４は、例えば、４つの抵抗Ｒ２〜Ｒ４，Ｒ１０と、コンデンサＣ３と、スイッチング素子Ｑ３とを備えている。
【０１６２】
抵抗Ｒ１０の第１端は、制御回路５１（より詳細には、制御部５３）と電気的に接続されている。抵抗Ｒ１０の第２端は、抵抗Ｒ３を介して、コンデンサＣ２の低電位側端子と電気的に接続されている。
【０１６３】
なお、フィードバック回路５２は、出力電流Ｉｏを検出するように構成されているが、この構成に限らない。フィードバック回路５２は、例えば、出力電圧Ｖｏを検出するように構成されていてもよい。この場合、フィードバック回路５２は、出力電圧Ｖｏに比例する電圧である検出電圧と基準電圧Ｖｒとの差分を制御回路５１へフィードバックするように構成される。また、検出部１２は、出力電圧Ｖｏを検出するように構成される。
【０１６４】
コンデンサＣ７は、例えば、電解コンデンサである。コンデンサＣ７の高電位側端子は、コンデンサＣ２の高電位側端子と電気的に接続されている。また、コンデンサＣ７の高電位側端子は、出力端子２Ａと電気的に接続されている。コンデンサＣ７の低電位側端子は、抵抗Ｒ１を介して、誤差増幅器１３の反転入力端子と電気的に接続されている。また、コンデンサＣ７の低電位側端子は、検出部１２を介して、コンデンサＣ２の低電位側端子と電気的に接続されている。さらに、コンデンサＣ７の低電位側端子は、出力端子２Ｂと電気的に接続されている。
【０１６５】
制御部５３は、フィードバック回路５２を制御するように構成されている。
【０１６６】
制御部５３は、生成部５４における抵抗Ｒ２の第１端と電気的に接続されている。また、制御部５３は、生成部５４におけるスイッチング素子Ｑ３のベース端子と電気的に接続されている。
【０１６７】
制御回路５１（より詳細には、制御部５３）は、２つのスイッチング素子Ｑ１，Ｑ２それぞれが間欠動作するように、２つのスイッチング素子Ｑ１，Ｑ２それぞれを制御する。これにより、点灯装置１０Ｃでは、２つのスイッチング素子Ｑ１，Ｑ２それぞれに流れる電流（ピーク電流）を比較的小さくすることが可能となり、出力電流Ｉｏを小さくすることが可能となる。よって、点灯装置１０Ｃでは、光源部２０において、深い調光制御を行うことが可能となる。なお、深い調光制御とは、光源部２０から放射される光の出力レベルが、例えば、０％〜１００％の範囲（調光範囲）のうち５％〜５０％の範囲内の出力レベルとなるように、２つのスイッチング素子Ｑ１，Ｑ２それぞれを間欠動作させることを意味する。
【０１６８】
また、制御回路５１（より詳細には、制御部５３）は、２つのスイッチング素子Ｑ１，Ｑ２それぞれの間欠動作を開始させたときに、２つのスイッチング素子Ｑ１，Ｑ２それぞれのスイッチング周波数を、相対的に高い周波数から相対的に低い周波数へ変化させる。具体的に説明すると、制御回路５１（より詳細には、制御部５３）は、２つのスイッチング素子Ｑ１，Ｑ２それぞれの間欠動作を開始させたとき、基準電圧Ｖｒの電圧レベルが徐々に増加するように、フィードバック回路５２の生成部５４を制御する。
【０１６９】
制御部５３は、２つのスイッチング素子Ｑ１，Ｑ２それぞれの間欠動作を開始させたとき、第２直流電圧を抵抗Ｒ２へ出力し、かつ、スイッチング素子Ｑ３がオン状態となるようにスイッチング素子Ｑ３を制御する。生成部５４では、上記時定数回路における抵抗Ｒ４とコンデンサＣ３とで決まる時定数によって、基準電圧Ｖｒの電圧レベルが徐々に増加する。これにより、制御回路５１は、２つのスイッチング素子Ｑ１，Ｑ２それぞれの間欠動作を開始させたとき、２つのスイッチング素子Ｑ１，Ｑ２それぞれのスイッチング周波数を、相対的に高い周波数から相対的に低い周波数へ変化させることが可能となる。よって、点灯装置１０Ｃでは、２つのスイッチング素子Ｑ１，Ｑ２それぞれの間欠動作を開始させたとき、各スイッチング素子Ｑ１，Ｑ２のドレイン−ソース間電圧にリンギングが発生するのを抑制することが可能となる。その結果、点灯装置１０Ｃでは、光源部２０において深い調光制御を行うときであっても、２つのスイッチング素子Ｑ１，Ｑ２それぞれに過度なストレスが加わるのを抑制することが可能となる。
【０１７０】
制御回路５１は、各スイッチング素子Ｑ１，Ｑ２の間欠動作を停止させた時点から各スイッチング素子Ｑ１，Ｑ２の間欠動作を開始させる時点までの間、誤差増幅器１３から出力される差分がゼロに近づくようにフィードバック回路５２を制御する。なお、以下では、説明の便宜上、各スイッチング素子Ｑ１，Ｑ２の間欠動作を停止させた時点から各スイッチング素子Ｑ１，Ｑ２の間欠動作を開始させる時点までの間を、「第２停止期間のとき」と称することもある。
【０１７１】
具体的に説明すると、制御部５３は、例えば、誤差増幅器１３の反転入力端子と電気的に接続されている。制御部５３は、第２停止期間のとき、誤差増幅器１３に入力される検出電圧Ｖｄの電圧レベルが基準電圧Ｖｒの電圧レベル以上となるようにフィードバック回路５２を制御する。これにより、点灯装置１０Ｃでは、第２停止期間のとき、誤差増幅器１３から出力される差分をゼロにすることが可能となる。よって、点灯装置１０Ｃでは、２つのスイッチング素子Ｑ１，Ｑ２それぞれの間欠動作を、再び開始させたとき、出力電流Ｉｏにオーバーシュートが発生するのを、より抑制することが可能となる。その結果、点灯装置１０Ｃでは、例えば、光源部２０において深い調光制御を行うときであっても、光源部２０にサージ電流が流れるのを、より抑制することが可能となる。言い換えれば、点灯装置１０Ｃでは、例えば、光源部２０において深い調光制御を行うときであっても、光源部２０から閃光が発生するのを、より抑制することが可能となる。
【０１７２】
なお、制御部５３は、第２停止期間のとき、検出電圧Ｖｄの電圧レベルが基準電圧Ｖｒの電圧レベル以上となるようにフィードバック回路５２を制御する構成であるが、この構成に限らない。制御部５３は、例えば、第２停止期間のとき、誤差増幅器１３から出力される差分がゼロとなるようにフィードバック回路５２を制御する構成であってもよい。また、制御部５３は、例えば、第２停止期間のとき、誤差増幅器１３に供給される電源を遮断する構成であってもよい。
【０１７３】
制御回路５１は、図８に示すように、準備期間Ｔ２と間欠動作期間Ｔ３とを有するように、２つのスイッチング素子Ｑ１，Ｑ２それぞれを制御する。準備期間Ｔ２は、２つのスイッチング素子Ｑ１，Ｑ２それぞれが間欠動作する前の期間である。間欠動作期間Ｔ３は、２つのスイッチング素子Ｑ１，Ｑ２それぞれが間欠動作する期間である。なお、図８は、整流回路５により全波整流された電圧に比例する電流Ｉａ（図７参照）の変化を模式的に表している。図８中のｔ１１は、２つのスイッチング素子Ｑ１，Ｑ２それぞれの動作を開始させた時点を表している。図８中のｔ１２は、２つのスイッチング素子Ｑ１，Ｑ２それぞれの間欠動作を開始させた時点を表している。
【０１７４】
また、制御回路５１は、準備期間Ｔ２のとき、各スイッチング素子Ｑ１，Ｑ２のスイッチング周波数を相対的に高い周波数から相対的に低い周波数へ変化させる期間が相対的に長くなるように、２つのスイッチング素子Ｑ１，Ｑ２それぞれを制御する。また、制御回路５１は、間欠動作期間Ｔ３のとき、各スイッチング素子Ｑ１，Ｑ２のスイッチング周波数を相対的に高い周波数から相対的に低い周波数へ変化させる期間が相対的に短くなるように、２つのスイッチング素子Ｑ１，Ｑ２それぞれを制御する。なお、以下では、説明の便宜上、各スイッチング素子Ｑ１，Ｑ２のスイッチング周波数を相対的に高い周波数から相対的に低い周波数へ変化させる期間を、「変化期間」と称することもある。
【０１７５】
制御部５３は、生成部５４における抵抗１０の第１端と電気的に接続されている。点灯装置１０Ｃでは、抵抗Ｒ１０と抵抗Ｒ３との直列回路が抵抗分圧回路（以下、「第２抵抗分圧回路」）を構成しており、誤差増幅器１３の非反転入力端子に、抵抗Ｒ３の両端電圧が基準電圧Ｖｒとして入力される。抵抗Ｒ１０の抵抗値は、例えば、抵抗Ｒ２の抵抗値よりも大きく設定されている。
【０１７６】
制御部５３は、準備期間Ｔ２のとき、第２直流電圧を第１抵抗分圧回路の抵抗Ｒ２へ出力し、かつ、スイッチング素子Ｑ３がオン状態となるようにスイッチング素子Ｑ３を制御する。また、制御部５３は、間欠動作期間Ｔ３のとき、第２直流電圧を第２抵抗分圧回路の抵抗Ｒ１０へ出力し、かつ、スイッチング素子Ｑ３がオフ状態となるようにスイッチング素子Ｑ３を制御する。これにより、制御回路５１は、準備期間Ｔ２のとき、変化期間を、間欠動作期間Ｔ３のときよりも長くすることが可能となる。言い換えれば、制御回路５１は、間欠動作期間Ｔ３のとき、変化期間を、準備期間Ｔ２のときよりも短くすることが可能となる。よって、点灯装置１０Ｃでは、準備期間Ｔ２のとき、光源部２０から閃光が発生するのを抑制することが可能となる。また、点灯装置１０Ｃでは、間欠動作期間Ｔ３のとき、出力電流Ｉｏにリップル成分が重畳されるのを抑制することが可能となる。
【０１７７】
制御回路５１は、準備期間Ｔ２と間欠動作期間Ｔ３とを有するように、２つのスイッチング素子Ｑ１，Ｑ２それぞれを制御する構成であるが、この構成に限らない。制御回路５１は、例えば、間欠動作期間Ｔ３のみを有するように、２つのスイッチング素子Ｑ１，Ｑ２それぞれを制御する構成であってもよい。
【０１７８】
具体的に説明すると、制御回路５１は、図９に示すように、２つのスイッチング素子Ｑ１，Ｑ２それぞれの間欠動作として、動作期間Ｔ４と休止期間Ｔ５とを交互に繰り返すように、２つのスイッチング素子Ｑ１，Ｑ２それぞれを制御する。動作期間Ｔ４は、２つのスイッチング素子Ｑ１，Ｑ２それぞれをスイッチング動作させる期間である。休止期間Ｔ５は、２つのスイッチング素子Ｑ１，Ｑ２それぞれをスイッチング動作させない期間である。なお、図９は、整流回路５により全波整流された電圧に比例する電流Ｉａ（図７参照）の変化を模式的に表している。図９中のｔ１３は、２つのスイッチング素子Ｑ１，Ｑ２それぞれの間欠動作を開始させた時点を表している。
【０１７９】
また、制御回路５１は、動作期間Ｔ４と休止期間Ｔ５との比率が一定となるように、２つのスイッチング素子Ｑ１，Ｑ２それぞれを制御する。また、制御回路５１は、２つのスイッチング素子Ｑ１，Ｑ２それぞれの間欠動作を開始させたとき（図９中のｔ１３の時点）、電流Ｉａが徐々に増加するように、２つのスイッチング素子Ｑ１，Ｑ２それぞれを制御する。これにより、点灯装置１０Ｃでは、２つのスイッチング素子Ｑ１，Ｑ２それぞれの間欠動作を開始させたとき、光源部２０から閃光が発生するのを抑制することが可能となる。また、点灯装置１０Ｃでは、２つのスイッチング素子Ｑ１，Ｑ２それぞれが間欠動作するとき、出力電流Ｉｏにリップル成分が重畳されるのを抑制することが可能となる。
【０１８０】
なお、制御回路５１は、第２停止期間のときに誤差増幅器１３から出力される差分がゼロに近づくようにフィードバック回路５２を制御する機能以外、制御回路３の機能と同様の機能を有している。また、制御回路５１（より詳細には、制御部５３）は、タイマ５０を備えていてもよいし、タイマ５０を備えていなくてもよい。
【０１８１】
また、点灯装置１０Ｃは、点灯装置１０の代わりに照明器具３０に適用されてもよい。
【０１８２】
以上説明した点灯装置１０Ｃにおいて、制御回路５１は、少なくとも２つのスイッチング素子Ｑ１，Ｑ２それぞれが間欠動作するように、２つのスイッチング素子Ｑ１，Ｑ２それぞれを制御する。制御回路５１は、２つのスイッチング素子Ｑ１，Ｑ２それぞれの間欠動作を開始させたときに、２つのスイッチング素子Ｑ１，Ｑ２それぞれのスイッチング周波数を、相対的に高い周波数から相対的に低い周波数へ変化させるように構成されている。制御回路５１は、２つのスイッチング素子Ｑ１，Ｑ２それぞれの間欠動作を停止させた時点から２つのスイッチング素子Ｑ１，Ｑ２それぞれの間欠動作を開始させる時点までの間、誤差増幅器１３から出力される上記差分がゼロに近づくようにフィードバック回路５２を制御する。これにより、点灯装置１０Ｃでは、光源部２０において、深い調光制御を行うことが可能となる。また、点灯装置１０Ｃでは、２つのスイッチング素子Ｑ１，Ｑ２それぞれの間欠動作を開始させたとき、各スイッチング素子Ｑ１，Ｑ２のドレイン−ソース間電圧にリンギングが発生するのを抑制することが可能となる。その結果、点灯装置１０Ｃでは、光源部２０において深い調光制御を行うときであっても、２つのスイッチング素子Ｑ１，Ｑ２それぞれに過度なストレスが加わるのを抑制することが可能となる。また、点灯装置１０Ｃでは、第２停止期間のとき、誤差増幅器１３から出力される差分をゼロに近づけることが可能となる。よって、点灯装置１０Ｃでは、２つのスイッチング素子Ｑ１，Ｑ２それぞれの間欠動作を、再び開始させたとき、出力電流Ｉｏにオーバーシュートが発生するのを抑制することが可能となる。その結果、点灯装置１０Ｃでは、例えば、光源部２０において深い調光制御を行うときであっても、サージ電流が流れるのを抑制することが可能となる。
【０１８３】
制御回路５１は、上述のように、２つのスイッチング素子Ｑ１，Ｑ２それぞれの間欠動作を開始させたとき、誤差増幅器１３に入力される基準電圧Ｖｒの電圧レベルが徐々に増加するように、フィードバック回路５２を制御することが好ましい。これにより、点灯装置１０Ｃでは、２つのスイッチング素子Ｑ１，Ｑ２それぞれの間欠動作を開始させたとき、２つのスイッチング素子Ｑ１，Ｑ２それぞれのスイッチング周波数を、相対的に高い周波数から相対的に低い周波数へ変化させることが可能となる。よって、点灯装置１０Ｃでは、２つのスイッチング素子Ｑ１，Ｑ２それぞれの間欠動作を開始させたとき、各スイッチング素子Ｑ１，Ｑ２のドレイン−ソース間電圧にリンギングが発生するのを抑制することが可能となる。その結果、点灯装置１０Ｃでは、光源部２０において深い調光制御を行うときであっても、２つのスイッチング素子Ｑ１，Ｑ２それぞれに過度なストレスが加わるのを抑制することが可能となる。
【０１８４】
制御回路５１は、上述のように、準備期間Ｔ２と間欠動作期間Ｔ３とを有するように、２つのスイッチング素子Ｑ１，Ｑ２それぞれを制御することが好ましい。準備期間Ｔ２は、２つのスイッチング素子Ｑ１，Ｑ２それぞれが間欠動作する前の期間である。間欠動作期間Ｔ３は、２つのスイッチング素子Ｑ１，Ｑ２それぞれが間欠動作する期間である。制御回路５１は、準備期間Ｔ２のとき、変化期間が相対的に長くなるように、２つのスイッチング素子Ｑ１，Ｑ２それぞれを制御することが好ましい。上記変化期間は、２つのスイッチング素子Ｑ１，Ｑ２それぞれのスイッチング周波数を相対的に高い周波数から相対的に低い周波数へ変化させる期間である。また、制御回路５１は、間欠動作期間Ｔ３のとき、上記変化期間が相対的に短くなるように、２つのスイッチング素子Ｑ１，Ｑ２それぞれを制御することが好ましい。これにより、点灯装置１０Ｃでは、準備期間Ｔ２のとき、光源部２０から閃光が発生するのを抑制することが可能となる。また、点灯装置１０Ｃでは、間欠動作期間Ｔ３のとき、出力電流Ｉｏにリップル成分が重畳されるのを抑制することが可能となる。
【０１８５】
制御回路５１は、２つのスイッチング素子Ｑ１，Ｑ２それぞれの間欠動作として、動作期間Ｔ４と休止期間Ｔ５とを交互に繰り返すように、２つのスイッチング素子Ｑ１，Ｑ２それぞれを制御することが好ましい。動作期間Ｔ４は、２つのスイッチング素子Ｑ１，Ｑ２それぞれをスイッチング動作させる期間である。休止期間Ｔ５は、２つのスイッチング素子Ｑ１，Ｑ２それぞれをスイッチング動作させない期間である。制御回路５１は、動作期間Ｔ４と休止期間Ｔ５との比率が一定となるように、２つのスイッチング素子Ｑ１，Ｑ２それぞれを制御することが好ましい。また、制御回路５１は、２つのスイッチング素子Ｑ１，Ｑ２それぞれの間欠動作を開始させたとき、整流回路５により整流された電圧に比例する電流Ｉａが徐々に増加するように、２つのスイッチング素子Ｑ１，Ｑ２それぞれを制御することが好ましい。これにより、点灯装置１０Ｃでは、２つのスイッチング素子Ｑ１，Ｑ２それぞれの間欠動作を開始させたとき、光源部２０から閃光が発生するのを抑制することが可能となる。また、点灯装置１０Ｃでは、２つのスイッチング素子Ｑ１，Ｑ２それぞれが間欠動作するとき、出力電流Ｉｏにリップル成分が重畳されるのを抑制することが可能となる。
【符号の説明】
【０１８６】
１Ａ，１Ｂ  一対の入力端子
２Ａ，２Ｂ  一対の出力端子
３  制御回路
４  共振回路
５  整流回路（第１整流回路）
６  フィードバック回路
７  フィルタ回路
８  整流回路（第２整流回路）
９  力率改善回路
１０  点灯装置
１０Ａ〜１０Ｃ  点灯装置
１１  結合部
１２  検出部
１３  誤差増幅器
１４  生成部
２０  光源部
２１  固体発光素子
２３  制御回路
２４  フィードバック回路
２７  制御回路
２８  フィードバック回路
３０  照明器具
５０  タイマ
５１  制御回路
５２  フィードバック回路
Ｃ１〜Ｃ４  コンデンサ（第１コンデンサ〜第４コンデンサ）
Ｌ１〜Ｌ３  インダクタ（第１インダクタ〜第３インダクタ）
Ｑ１，Ｑ２  スイッチング素子
【図１】
0006422056.tif 000002
【図２】
0006422056.tif 000003
【図３】
0006422056.tif 000004
【図４】
0006422056.tif 000005
【図５】
0006422056.tif 000006
【図６】
0006422056.tif 000007
【図７】
0006422056.tif 000008
【図８】
0006422056.tif 000009
【図９】
0006422056.tif 000010